(57)【要約】  本発明は、基盤内に配置され常時は不活性の磁場発生器（３０８）と、該基盤上の設置された生物測定学的センサー（３１０）と、該基盤内に配置されたメモリー（３１２）とそして該基盤内に配置され、該磁場発生器（３０８）、該生物測定学的センサー（３１０）及び該メモリー（３１２）と通信可能に接続されたプロセサー（３１４）と、を有するユーザーデバイスを備えるシステム、方法及び装置を提供する。該プロセサー（３１４）は、ユーザーが該装置を使うようオーソライズされていることを検証するため該生物測定学的センサー（３１０）からの受信した生物測定学的情報を処理し、該ユーザーが検証された時該磁場発生器（３０８）を賦活するよう、動作可能である。又電源（３１６）が該基盤内に配置されている。該磁場発生器（３０８）は磁気ストライプ及び１つ以上の誘導コイルを使って空間的に変化する磁気信号を創るか、又は磁気ストライプカードを磁気カードリーダー（３３０）を通してスワイプすることから得られるデータをエミュレートするために時間変化する磁気信号を創る、ことが出来る。
2007517274.tif 000002
【特許請求の範囲】
【請求項１】
装置に於いて、該装置が
基盤と、
該基盤内に配置され常時は不活性である磁場発生器（３０８）と、
該基盤上に設置された生物測定学的センサー（３１０）と、
該基盤内に配置されたメモリー（３１２）と、
該基盤内に配置され、該磁場発生器（３０８）、該生物測定学的センサー（３１０）及び該メモリー（３１２）と通信可能に接続されたプロセサー（３１４）とを具備しており、該プロセサー（３１４）は、ユーザーが該装置を使うようオーソライズされていることを検証するために該生物測定学的センサー（３１０）から受信した生物測定学的情報を処理するよう、そして該ユーザーが検証された時該磁場発生器（３０８）を賦活するよう、動作可能であり、そして装置は又
該基盤内に配置され、該磁場発生器（３０８）、該生物測定学的センサー（３１０）そして該プロセサー（３１４）に電気的に接続された電源を具備することを特徴とする該装置。
【請求項２】
該磁場発生器（３０８）が磁気ストライプカードを磁気カードリーダー（３３０）を通してスワイプすることから得られるデータをエミュレートするために時間変化する磁気信号を創ることを特徴とする請求項１の該装置。
【請求項３】
該磁場発生器（３０８）がプログラム可能な磁気ストライプ（３０８，５００，５５０）を備えることを特徴とする請求項１の該装置。
【請求項４】
該プログラム可能な磁気ストライプ（５００，５５０）が、
該基盤上に設置されるか又は該基盤内に配置されるか、何れかの磁気ストライプ（５０２）と、
該磁気ストライプ（５０２）の下で該基盤内に配置された１つ以上の誘導コイル（５５２又は５１８−５３０）と、そして
該基盤内に配置され、該１つ以上の誘導コイル（５１８−５３０）に接続されそして該１つ以上の誘導コイル（５１８−５３０）及び該磁気ストライプ（５０２）を介して空間的に変化する又は時間的に変化する磁気信号を発生するよう動作可能な制御器（５３２）を有することを特徴とする請求項３の該装置。
【請求項５】
該磁気信号がユーザー名、ユーザー番号そして装置満了期日を説明する２進データを有することを特徴とする請求項４の該装置。
【請求項６】
該磁気ストライプ（５０２）が３つのトラックを有し、各トラックは１セットの磁気データセル（５０４−５１６）有することを特徴とする請求項４の該装置。
【請求項７】
該プロセサー（３１４）がスマートカードプロセサー及びエイシックチップを有することを特徴とする請求項１の該装置。
【請求項８】
該電源（３１６）が電力管理ユニット（３１８）により制御されることを特徴とする請求項１の該装置。
【請求項９】
該電源（３１６）がバッテリー、ピエゾ電気発生器、ソーラーパネル、電磁エネルギー変換器、運動エネルギー変換器そしてそれらの組み合わせから成るグループから選択されることを特徴とする請求項１の該装置。
【請求項１０】
該電源（３１６）が、
バッテリー（１４０６）と、
電力発生器（１４０２）と、
該電力発生器（１４０２）に電気的に接続され、該電力発生器（１４０２）から受けた電力を該装置により使用可能な電力に変換するため又は該バッテリー（１４０６）を充電するため動作可能な変換器（１４０４）と、
該バッテリー（１４０６）に接続されたバッテリー管理ユニット（１４０８）と、そして
該電力管理ユニット（１４０８）と該変換器（１４０４）に接続され、該バッテリー管理ユニット（１４０８）から、該変換器（１４０４）から、又は両者から電力を引き出すかどうかを決定するよう動作可能な電力マルチプレクサー（１４１０）と、を備えることを特徴とする請求項１の該装置。
【請求項１１】
該生物測定学的センサー（３１０）が指紋センサー、網膜センサー、虹彩センサー又はボイスセンサーから成るグループから選択されることを特徴とする請求項１の該装置。
【請求項１２】
該生物測定学的センサー（３１０）が指紋の峰及び谷に対応する高，低点を検出するために動作可能な点のマトリックスを備えることを特徴とする請求項１の該装置。
【請求項１３】
該生物測定学的センサー（３１０）が放射器（１３０２−１３１０）と検出器（１３１２−１３２２）とを備えており、該放射器（１３０２−１３１０）から投射された光がユーザーの指から該検出器（１３１２−１３２２）へ反射されることを特徴とする請求項１の該装置。
【請求項１４】
更に、該基盤上に設置され、該プロセサー（３１４）と通信可能に接続され、該電源（３１６）に電気的に接続されたユーザーインターフエース（３２０）を具備することを特徴とする請求項１の該装置。
【請求項１５】
該ユーザーインターフエース（３２０）がタッチパッド、１つ以上のボタン、デイスプレー及びボイスセンサーから成るグループから選択されることを特徴とする請求項１４の該装置。
【請求項１６】
更に、該基盤上に設置され、該プロセサー（３１４）と通信可能に接続され、そして該電源（３１６）に電気的に接続された出力インターフエース（３２６）を具備することを特徴とする請求項１の該装置。
【請求項１７】
該出力インターフエース（３２６）が無線通信用アンテナと光学的送信器から成るグループから選択されることを特徴とする請求項１６の該装置。
【請求項１８】
更に、該基盤上に設置され、該プロセサー（３１４）と通信可能に接続され、そして該電源（３１６）に電気的に接続されたスマートカードインターフエース（３２４）を具備することを特徴とする請求項１の該装置。
【請求項１９】
更に、該基盤内に配置され、該プロセサー（３１４）と通信可能に接続され、そして該電源（３１６）に電気的に接続された非接触インターフエース（３２２）を具備することを特徴とする請求項１の該装置。
【請求項２０】
該非接触インターフエース（３２２）が無線通信用アンテナと光学的トランシーバーから成るグループから選択されることを特徴とする請求項１９の該装置。
【請求項２１】
該基盤がやや柔軟であることを特徴とする請求項１の該装置。
【請求項２２】
該基盤は、アクセスカード、クレディットカード、デビットカード、身分証明カード、ミニカード、セキュリテイカード、価値内蔵カードそして特定ベンダー向けカードから成るグループから選択されたカード内に一体化されることを特徴とする請求項１の該装置。
【請求項２３】
該基盤が、パスポート、イミグレーションカードそしてビザから成るグループから選択されたトラベルクレデンシャル内に一体化されたことを特徴とする請求項１の該装置。
【請求項２４】
該基盤が、パーソナルデータアシスタント、遠隔通信デバイス、ページャー、コンピュータそして電子メールトランシーバーから成るグループから選択された個人的通信デバイス内に一体化されることを特徴とする請求項１の該装置。
【請求項２５】
該基盤が、時計、ジュエルリー、キイリング、タグそして眼鏡から成るグループから選択された個人的デバイス／持ち物内に一体化されることを特徴とする請求項１の該装置。
【請求項２６】
該プロセサー（３１４）及び該メモリー（３１２）が、１つの集積回路内に一体化されることを特徴とする請求項１の該装置。
【請求項２７】
該メモリー（３１２）が、ユーザーの生物測定学的アナログを備えることを特徴とする請求項１の該装置。
【請求項２８】
該プロセサー（３１４）が、ユーザーが該生物測定学的センサー（３１０）を使って認証された後、２進データを該磁場発生器（３０８）へ提供することを特徴とする請求項１の該装置。
【請求項２９】
該プロセサー（３１４）が、該磁場発生器（３０８）が指定された時間の間活性であった後、該磁場発生器（３０８）を非活性化することを特徴とする請求項１の該装置。
【請求項３０】
該プロセサー（３１４）が、該生物測定学的センサー（３１０）が該オーソライズされたユーザーを最早検出しない時、該磁場発生器（３０８）を非活性化することを特徴とする請求項１の該装置。
【請求項３１】
１人以上のユーザーに付随する情報を有する装置と、常時は不活性である磁場発生器（３０８）と、そして生物測定学的センサー（３１０）とを使って処理を可能にする方法に於いて、該方法が
該生物測定学的センサー（３１０）から認証データを受信する過程と、
該認証データが該ユーザーの１人用に有効かどうかを決定する過程と、そして
該認証データが有効な時は何時も、該磁場発生器（３０８）を賦活し、該認証されたユーザーに付随する情報に対応する磁気信号を発生する過程と、を具備することを特徴とする該方法。
【請求項３２】
該認証されたユーザーに付随する該情報が該処理の承認を可能にすることを特徴とする請求項３１の該方法。
【請求項３３】
更に、該認証データが有効でない時は何時も、該磁場発生器（３０８）を賦活し、該処理の否認を可能にする磁気信号を発生する過程を具備することを特徴とする請求項３１の該方法。
【請求項３４】
更に、１つ以上の賦活パラメーターを受信する過程を具備することを特徴とする請求項
３１の該方法。
【請求項３５】
該１つ以上の賦活パラメーターが、該生物測定学的センサー（３１０）からのデータを検出する過程、外部信号を検出する過程、又はユーザーインターフエース（３２０）からデータを受信する過程を有することを特徴とする請求項３４の該方法。
【請求項３６】
該処理がアクセス処理、制御処理、財務処理、商業的処理又は同定処理であることを特徴とする請求項３１の該方法。
【請求項３７】
該認証データが有効かどうかを決定する過程が該認証データを該デバイス上に記憶された１つ以上の生物測定学的テンプレートと比較する過程を備えることを特徴とする請求項３１の該方法。
【請求項３８】
該磁気信号が磁気ストライプカードを磁気カードリーダー（３３０）を通してスワイプすることから得られたデータをエミュレートするための時間変化する磁気信号であることを特徴とする請求項３１の該方法。
【請求項３９】
更に、該磁場発生器（３０８）が指定された時間の間活性であった後該磁場発生器（３０８）を非活性化する過程を具備することを特徴とする請求項３１の該方法。
【請求項４０】
更に、該生物測定学的センサー（３１０）が該オーソライズされたユーザーを最早検出しない時、該磁場発生器（３０８）を非活性化する過程を具備することを特徴とする請求項３１の該方法。
【請求項４１】
更に、該処理を可能にする該情報を選択する過程を具備することを特徴とする請求項３１の該方法。
【請求項４２】
該磁気信号が、磁気ストライプカードを磁気カードリーダー（３３０）を通してスワイプすることから得られる該データをエミュレートするための時間変化する磁気信号であることを特徴とする請求項３１の該方法。
【請求項４３】
更に、情報を該ユーザーに表示する過程を具備することを特徴とする請求項３１の該方法。
【請求項４４】
更に、無線通信アンテナを介して該ユーザーに付随する該情報を送信する過程を具備することを特徴とする請求項３１の該方法。
【請求項４５】
更に
非接触の仕方で外部電源から電力を受ける過程と、そして
該外部電源から受けた該電力を該装置と両立する電力に変換する過程と、を具備することを特徴とする請求項３１の該方法。
【請求項４６】
１人以上のユーザーに付随する情報を有する装置と、常時は不活性である磁場発生器（３０８）と、そして生物測定学的センサー（３１０）と、を使って処理を可能にするための、コンピュータ読み出し可能な媒体内に具体化されたコンピュータプログラムに於いて、該コンピュータプログラムが、
該生物測定学的センサー（３１０）から認証データを受信するためのコードセグメントと、
該認証データが該ユーザーの１人用に有効かどうかを決定するためのコードセグメントと、そして
該認証データが有効な時は何時も、該磁場発生器（３０８）を賦活しそして該認証されたユーザーに付随する該情報に対応する磁気信号を発生するためのコードセグメントと、を具備することを特徴とする該コンピュータプログラム。
【請求項４７】
該認証されたユーザーに付随する該情報が該処理の承認を可能にすることを特徴とする請求項４６の該磁気ストライププログラム。
【請求項４８】
更に、該認証データが有効でない時は何時も、該磁場発生器（３０８）を賦活し、該処理の否認を可能にする磁気信号を発生するためのコードセグメントを具備することを特徴とする請求項４６の該コンピュータプログラム。
【請求項４９】
更に、１つ以上の賦活パラメーターを受信するためのコードセグメントを具備することを特徴とする請求項４６の該コンピュータプログラム。
【請求項５０】
該１つ以上の賦活パラメーターが、該生物測定学的センサー（３１０）からデータを検出する過程か、外部信号を検出する過程か、又はユーザーインターフエース（３２０）からデータを受信する過程か、を有することを特徴とする請求項４９の該コンピュータプログラム。
【請求項５１】
該処理がアクセス処理、制御処理、財務処理、商業的処理又は同定処理であることを特徴とする請求項４６のコンピュータプログラム。
【請求項５２】
該認証データが有効かどうかを決定するための該コードセグメントが、該認証データを該デバイス上に記憶された１つ以上の生物測定学的テンプレートと比較する過程を有することを特徴とする請求項４６の該コンピュータプログラム。
【請求項５３】
該磁気信号が、磁気ストライプカードを磁気カードリーダーを通してスワイプすることから得られるデータをエミュレートするための時間変化する磁気信号であることを特徴とする請求項４６の該コンピュータプログラム。
【請求項５４】
更に、該磁場発生器（３０８）が指定された時間の間活性であった後、該磁場発生器（３０８）を非活性化するためのコードセグメントを具備することを特徴とする請求項４６の該コンピュータプログラム。
【請求項５５】
更に、該生物測定学的センサー（３１０）が該オーソライズされたユーザーを最早検出しない時、該磁場発生器（３０８）を非活性化するためのコードセグメントを具備することを特徴とする請求項４６の該コンピュータプログラム。
【請求項５６】
更に、該処理を可能にするために該情報を選択するためのコードセグメントを具備することを特徴とする請求項４６の該コンピュータプログラム・
【請求項５７】
該磁気信号が、磁気ストライプカードを磁気カードリーダーを通してスワイプすることから得られる該データをエミュレートするための時間変化する磁気信号であることを特徴とする請求項４６のコンピュータプログラム。
【請求項５８】
更に、情報を該ユーザーに表示するためのコードセグメントを具備することを特徴とする請求項４６の該コンピュータプログラム
【請求項５９】
更に、無線通信アンテナを介して該ユーザーに付随する該情報を送信するためのコードセグメントを具備することを特徴とする請求項４６の該コンピュータプログラム。
【請求項６０】
システムに於いて、該システムが、
１つ以上のユーザーデバイスを具備しており、各ユーザーデバイス（３０２）が、
基盤と、
該基盤内に配置され常時は不活性である磁場発生器（３０８）と、
該基盤上に設置された生物測定学的センサー（３１０）と、
該基盤内に配置されたメモリー（３１２）と
該基盤内に配置されそして該磁場発生器（３０８）、該生物測定学的センサー（３１０）及び該メモリー（３１２）と通信可能に接続されたデバイスプロセサー（３１４）と、を備えており、該プロセサー（３１４）はユーザーが該装置を使うようオーソライズされていることを検証するために該生物測定学的センサー（３１０）から受信した生物測定学的情報を処理するよう、そして該ユーザーが検証された時該磁場発生器（３０８）を賦活するよう、動作可能であり、そして各ユーザーデバイスが又
該基盤内に配置され、該磁場発生器（３０８）、該生物測定学的センサー（３１０）及び該デバイスプロセサー（３１４）と電気的に接続された電源（３１６）と、
該ユーザーデバイス（３０２）と通信するよう動作可能な１つ以上のシステムインターフエース（３０４）と、そして
該１つ以上のシステムインターフエース（３０４）に通信可能に接続されたシステムプロセサー（３０６）と、を備えることを特徴とする該システム。
【請求項６１】
該１つ以上のシステムインターフエース（３０４）が光学的インターフエース（３３６）、スマートカードインターフエース（３３４）、無線通信インターフエース（３３２）、磁気リーダー（３３０）、初期化インターフエース（３２８）又は再充電器を有することを特徴とする請求項６０の該システム。
【請求項６２】
更に、該システムプロセサー（３０６）に通信可能に接続されたデータベース（３３８）を具備することを特徴とする請求項６０の該システム。
【請求項６３】
更に、ネットワーク（３４０）経由で該システムプロセサー（３０６）に通信可能に接続された１つ以上の遠隔のコンピュータ（３４２）を具備することを特徴とする請求項６０の該システム。
【請求項６４】
該磁場発生器（３０８）が、磁気ストライプカードを磁気カードリーダーを通してスワイプすることから得られたデータをエミュレートするための時間変化する磁気信号を創ることを特徴とする請求項６０の該システム。
【請求項６５】
該磁場発生器（３０８）がプログラム可能な磁気ストライプ（３０８，５００，５５０）を有することを特徴とする請求項６０の該システム。
【請求項６６】
該プログラム可能な磁気ストライプ（５００，５５０）が、
該基盤上に設置されるか、又は該基盤内に配置されるか、何れかの磁気ストライプ（５０２）と、
該磁気ストライプ（５０２）の下で該基盤内に配置された１つ以上の誘導コイル（５５０又は５１８−５３０）と、そして
該基盤内に配置され、該１つ以上の誘導コイル（５５０又は５１８−５３０）に接続され、そして該１つ以上の誘導コイル（５５０又は５１８−５３０）及び該磁気ストライプ（５０２）を介して磁気信号を発生するよう動作可能な制御器（５３２）と、を有することを特徴とする請求項６５の該システム。
【請求項６７】
該磁気信号がユーザー名、ユーザー番号そして装置満了期日を説明する２進データを有
することを特徴とする請求項６６の該システム。
【請求項６８】
該磁気ストライプ（５０２）が３つのトラックを備えており、各トラックが磁気データセル（５０４−５１６）のセットを有することを特徴とする請求項６６の該システム。
【請求項６９】
該デバイスプロセサー（３１４）がスマートカードプロセサーとエイシックチップを有することを特徴とする請求項６０の該システム。
【請求項７０】
該電源（３１６）が電力管理ユニット（３１８）により制御されることを特徴とする請求項６０の該システム。
【請求項７１】
該電源（３１６）はバッテリー、ピエゾ電気発生器、ソーラーパネル、電磁エネルギー変換器、運動エネルギー変換器及びそれらの組み合わせから成るグループから選択されることを特徴とする請求項６０の該システム。
【請求項７２】
該電源（３１６）が、
バッテリー（１４０６）、
電力発生器（１４０２）、
該電力発生器（１４０２）に電気的に接続され、該電力発生器（１４０２）から受ける電力を該装置により使用可能な電力に変換するために又は該バッテリー（１４０６）を充電するために動作可能な変換器（１４０４）と、
該バッテリー（１４０６）に接続されたバッテリー管理ユニット（１４０８）と、そして
該バッテリー管理ユニット（１４０８）と該変換器（１４０４）に接続され、電力を、該バッテリー管理ユニット（１４０８）からか、該変換器（１４０４）からか、或いは両者から引き出すべきか決定するよう動作可能な電力マルチプレクサーと、を有することを特徴とする請求項６０の該システム。
【請求項７３】
該生物測定学的センサー（３１０）が指紋センサー、網膜センサー、虹彩センサー又はボイスセンサーから成るグループから選択されることを特徴とする請求項６０の該システム。
【請求項７４】
該生物測定学的センサー（３１０）が、指紋の峰と谷に対応する高、低点を検出するよう動作可能な点のマトリックスを有することを特徴とする請求項６０の該システム。
【請求項７５】
該生物測定学的センサー（３１０）が放射器（１３０２−１３１０）と検出器（１３１２−１３２２）とを有しており、該放射器（１３０２−１３１０）から投射された光がユーザーの指から該検出器（１３１２−１３２２）へ反射されることを特徴とする請求項６０の該システム。
【請求項７６】
更に、該基盤上に設置され、該デバイスプロセサー（３１４）に通信可能に接続され、そして該電源（３１６）に電気的に接続されたユーザーインターフエース（３２０）を具備することを特徴とする請求項６０の該システム。
【請求項７７】
該ユーザーインターフエース（３２０）がタッチパッド、１つ以上のボタン、デイスプレーそしてボイスセンサーから成るグループから選択されることを特徴とする請求項７６の該システム。
【請求項７８】
更に、該基盤上に設置され、該デバイスプロセサー（３１４）に通信可能に接続され、そして該電源（３１６）に電気的に接続される出力インターフエース（３２６）を具備す
ることを特徴とする請求項６０の該システム。
【請求項７９】
該出力インターフエース（３２６）は無線通信用アンテナ及び光学的送信器から成るグループから選択されることを特徴とする請求項７８の該システム。
【請求項８０】
更に、該基盤上に設置され、該デバイスプロセサー（３１４）と通信可能に接続され、そして該電源（３１６）に電気的に接続されたスマートカードインターフエース（３２４）を具備することを特徴とする請求項６０の該システム。
【請求項８１】
更に、該基盤内に配置され、該デバイスプロセサー（３１４）と通信可能に接続され、そして該電源（３１６）に電気的に接続された非接触インターフエース（３２２）を具備することを特徴とする請求項６０の該システム。
【請求項８２】
該非接触インターフエース（３２２）が無線通信用アンテナ及び光学的トランシーバーから成るグループから選択されることを特徴とする請求項８１の該システム。
【請求項８３】
該基盤がやや柔軟であることを特徴とする請求項６０の該システム。
【請求項８４】
該基盤が、アクセスカード、クレディットカード、デビットカード、身分証明カード、ミニカード、セキュリテイカード、価値内蔵カード及び特定ベンダー向けカードから成るグループから選択されたカード内に一体化されることを特徴とする請求項６０の該システム。
【請求項８５】
該基盤がパスポート、イミグレーションカード及びビザから成るグループから選択されたトラベルクレデンシャル内に一体化されることを特徴とする請求項６０の該システム。
【請求項８６】
該基盤がパーソナルデータアシスタント、遠隔通信デバイス、ページャー、コンピュータ及び電子メールトランシーバーから成るグループから選択された個人的通信デバイス内に一体化されることを特徴とする請求項６０の該システム。
【請求項８７】
該基盤が時計、ジュエルリー、キイリング、タグ及び眼鏡から成るグループから選択された個人的デバイス／持ち物内に一体化されることを特徴とする請求項６０の該システム。
【請求項８８】
該デバイスプロセサー（３１４）と該メモリー（３１２）が１つの集積回路内に一体化されることを特徴とする請求項６０の該システム。
【請求項８９】
該メモリー（３１２）がユーザーの生物測定学的アナログを有することを特徴とする請求項６０の該システム。
【請求項９０】
該デバイスプロセサー（３１４）が、ユーザーが該生物測定学的センサー（３１０）を使って認証された後、２進データを該磁場発生器（３０８）へ提供することを特徴とする請求項６０の該システム。
【請求項９１】
該デバイスプロセサー（３１４）が、該磁場発生器（３０８）が指定された時間の間活性であった後、該磁場発生器（３０８）を非活性化することを特徴とする請求項６０の該システム。
【請求項９２】
該デバイスプロセサー（３１４）が、該生物測定学的センサー（３１０）が該オーソライズされたユーザーを最早検出しない時該磁場発生器（３０８）を非活性化することを特
徴とする請求項６０の該システム。
【発明の詳細な説明】
【技術分野】
【０００１】
本発明は商業的でセキュリテイ（ｓｅｃｕｒｉｔｙ）に係わる処理（ｃｏｍｍｅｒｃｉａｌ  ａｎｄ  ｓｅｃｕｒｉｔｙ  ｒｅｌａｔｅｄ  ｔｒａｎｓａｃｔｉｏｎｓ）の認証（ａｕｔｈｅｎｔｉｃａｔｉｏｎ）及び処置（ｐｒｏｃｅｓｓｉｎｇ）で使われる電子的なデバイス及び機器に分野に関してとり、特に生物測定学的に（ｂｉｏｍｅｔｒｉｃａｌｌｙ）可能にされプログラム出来る磁気ストライプ（ｍａｇｎｅｔｉｃ  ｓｔｒｉｐｅ）を使って処理を可能にする（ｅｎａｂｌｉｎｇ）システム、方法及び装置に関する。
【従来技術】
【０００２】
現在の磁気ストライプカード（ｍａｇｎｅｔｉｃ  ｓｔｒｉｐｅ  ｃａｒｄｓ）のセキュリテイは、偽造カード（ｆａｋｅ  ｃａｒｄｓ）を作り、使うためのカード盗難及びカードデータの’スキミング（ｓｋｉｍｍｉｎｇ）’の容易さのため疑わしい。図１に示す様に、アクセス（ａｃｃｅｓｓ）、クレディット、デビット（ｄｅｂｉｔ）、同定（ｉｄｅｎｔｉｆｉｃａｔｉｏｎ）、セキュリテイ、価値内蔵（ｓｔｏｒｅｄ  ｖａｌｕｅ）、そして特定ベンダー向け（ｖｅｎｄｏｒ−ｓｐｅｃｉｆｉｃ）、等のカードの様な、現在の磁気ストライプカード１００は典型的に磁気材料のストリップ（ｓｔｒｉｐ）１０２を有し、該ストリップはプラスチック又は積層基盤（ｐｌａｓｔｉｃ  ｏｒ  ｌａｍｉｎａｔｅｄ  ｓｕｂｓｔｒａｔｅ）１０４内に埋め込まれた、磁気ストライプと普通呼ばれる。この磁気ストライプ１０２は名前、勘定番号（ａｃｃｏｕｎｔ  ｎｕｍｂｅｒ）、カード満了期日（ｃａｒｄ  ｅｘｐｉｒａｔｉｏｎ  ｄａｔｅ）、そして他の重要情報の様な、該カード保持者（ｃａｒｄｈｏｌｄｅｒ）のデータを帯びている。この情報は該磁気ストライプ１０２内の３つのデータトラック（ｔｈｒｅｅ  ｄａｔａ  ｔｒａｃｋｓ）内に記憶されるのが典型的で、該トラックは磁化のパターン（ｐａｔｔｅｒｎ  ｏｆ  ｍａｇｎｅｔｉｚａｔｉｏｎ）を担い、該パターンは記憶された情報の磁気的表現である。カード保持者名、勘定番号、満了期日、発行者、署名ストライプ（ｓｉｇｎａｔｕｒｅ  ｓｔｒｉｐｅ）、検証コード（ｖａｌｉｄａｔｉｏｎ  ｃｏｄｅ）、写真、他の様な、当業者に良く知られた磁気ストライプカード１００の他の共通的特徴は示されてない。該磁気ストライプ１０２上の磁気パターンは容易に創られ、読まれそして壊される。結果として、情報記憶及び認証用に磁気ストライプ１０２にのみ依存するカード１００のセキュリテイは低く、非常に微妙な情報に係わる応用でのそれらの使用を疑わしくする。これらの種類のカードは容易に盗まれそして／又は該データは偽の又は偽造のカード（ｆａｋｅ  ｏｒ  ｃｏｕｎｔｅｒｆｅｉｔ  ｃａｒｄｓ）を創り、使うためにスキムされる。
【０００３】
情報保持カード（ｉｎｆｏｒｍａｔｉｏｎ  ｂｅａｒｉｎｇ  ｃａｒｄｓ）のセキュリテイを増す１つの方法は、チップカード（ｃｈｉｐ  ｃａｒｄｓ）とも呼ばれる、スマートカード（ｓｍａｒｔ  ｃａｒｄｓ）の使用である。スマートカード２００も磁気ストライプを有するが、それらは、図２に示す様にカード保持者の情報を記憶するために、ターミナル２０２の下のプラスチック又は積層基盤２０４内に埋め込まれた、普通制御器（ｃｏｎｔｒｏｌｌｅｒ）又はプロセサー（ｐｒｏｃｅｓｓｏｒ）とも呼ばれる、集積回路（ｉｎｔｅｇｒａｔｅｄ  ｃｉｒｃｕｉｔ）に主として依存している。該集積回路は特殊リーダー（ｓｐｅｃｉａｌ  ｒｅａｄｅｒ）とインターフエースするよう設計された１セットの金属ターミナル２０２と通信用に接続される。カード保持者名、勘定番号、満了期日、発行者、署名ストライプ、検証コード、写真、他の様な、当業者に公知のスマートカード２００の他の共通的特徴は示されない。スマートカード２００は１枚のカード又は他の媒体上に、多数の応用（ａｐｐｌｉｃａｔｉｏｎｓ）又は勘定を組み込むことが出来る。結果として、スマートカード２００は与えられたカード又はデバイスの有効性とセキュリテイを改善する実行可能な方法（ｖｉａｂｌｅ  ｗａｙ）として広く認識される。この様なスマートカード２００は世界中で事実上全体的カードリーダーインフラストラクチャー（ｅｎｔｉｒｅ  ｃａｒｄ  ｒｅａｄｅｒ  ｉｎｆｒａｓｔｒｕｃｔｕｒｅ）を現在形成する標準磁気ストライプリーダーとは異なるリーダー（ｄｉｆｆｅｒｅｎｔ  ｒｅａｄｅｒ）を必要とする。結果として、“真の（ｔｒｕｅ）”スマートカード（磁気ストライプを有しない）の採用と広まった使用は遅くなっている。
【０００４】
アダプターか又はプログラム可能な磁気ストライプか何れかを使ってスマートカードの柔軟性とセキュリテイの特徴の幾らかを磁気ストライプカード内に組み込む種々の妥協技術が開発されて来た。例えば、スマートカードから磁気ストライプへのアダプター（ｓｍａｒｔ  ｃａｒｄ  ｔｏ  ｍａｇｎｅｔｉｃ  ｓｔｒｉｐｅ  ａｄａｐｔｅｒ）が、ジャコブワイワォング（Ｊａｃｏｂ  Ｙ．  Ｗｏｎｇ）による“進んだ磁気ストライプブリッジ（Ａｄｖａｎｃｅｄ  Ｍａｇｎｅｔｉｃ  Ｓｔｒｉｐｅ  Ｂｒｉｄｇｅ）｛エイエムエスビー（ＡＭＳＢ）｝”の名称の２００３年３月２７日発行の特許文献１で開示されている。該ワォングの特許出願は、磁気ストライプの無いスマートカード又は他のカードが該ブリッジ内に置かれ、電気的に該カードに接続されるよう磁気ストライプカードリーダーで使われるアダプター又はブリッジを説明している。該ブリッジはクレディットカードの寸法である１つのエッジを有するので、該カードがなお該ブリッジ内にある間に、該ブリッジは該磁気ストライプリーダーを通してスワイプ（ｓｗｉｐｅｄ）され得る。この繋がり（ｌｉｎｋ）が起こると、典型的磁気カードのトラック（複数を含む）を磁気ストライプリーダーを通してスワイプすることにより発生されるデータをエミュレート（ｅｍｕｌａｔｅｓ）するフオーマットで、該カードからのデータは該ブリッジを通してカード上のプロセサー（ｏｎ−ｃａｒｄ  ｐｒｏｃｅｓｓｏｒ）から送信される。結果として、該磁気ストライプリーダーは該磁気ストライプ無しカードからのデータを受け入れることが出来る。同様に、１開発者、ビボッテック社（ＶｉＶＯＴｅｃｈ，  Ｉｎｃ．）は磁気ストライプリーダー内に固定ブリッジを置くが、該リーダーは無線周波（ｒａｄｉｏ  ｆｒｅｑｕｅｎｃｙ）（“ＲＦ”）データを受信することが出来て、次いで該リーダとの該カードの物理的接触を要することなく処理（ｔｒａｎｓａｃｔｉｏｎ）を完了するためにＲＦを介してデータの該磁気ストライプリーダー内への供給（ｆｅｅｄ）をエミュレートする。これらの技術の両者は、データが該カードから読まれることが出来るように、カードリーダーインフラストラクチャーに付加される固定か又はモバイル（ｍｏｂｉｌｅ）か何れかのアダプターを要する。これは可能であるが、それはなお、該カードの拘束されない使用（ｕｎｆｅｔｔｅｒｅｄ  ｕｓｅ）のためには望ましくない世界的なインフラストラクチャーへの修正である。この様なブリッジの使用は煩わしく、コストを追加し、信頼性を下げる。加えて、この方法も又オーソライズされてない個人によるスキミング又は使用に対する保護を提供するためのそのユーザーの認証を組み入れてない。
【０００５】
プログラム可能な磁気ストライプの使用はジェイ．カールクーパー（Ｊ．  Ｃａｒｌ  Ｃｏｏｐｅｒ）による“汎用クレディットカード装置と方法（Ｕｎｉｖｅｒｓａｌ  Ｃｒｅｄｉｔ  Ｃａｒｄ  Ａｐｐａｒａｔｕｓ  ａｎｄ  Ｍｅｔｈｏｄ）”の名称の２００２年１月１０日発行の特許文献２で開示されている。該クーパー特許出願は、カードを説明しているが、該カードでは、１つのコイルが該カード上の磁気ストライプ上の各データビットの下にある様な、多数の電気コイルが該カード内に作り込まれるので、各コイルは、該カード上のプロセサーの制御下で励起されると、磁場（ｍａｇｎｅｔｉｃ  ｆｉｅｌｄ）を創り、該磁場は該磁気トラック内のデータビット（ｄａｔａ  ｂｉｔ）を０か又は１か何れかとなるよう磁化（ｍａｇｎｅｔｉｚｅ）することが出来て、それにより２進コード（ｂｉｎａｒｙ  ｃｏｄｅ）を生じ、該コードは、磁気ストライプカード用ＩＳＯ標準（ＩＳＯ  ｓｔａｎｄａｒｄ）に従い適用されると、標準的カードリーダーにより読むことが出来る。このカード上の能力が出現すると、該プロセサーは該プロセサーのメモリー内に記憶されたどんなデータも該カード上の磁気ストライプに本質的に（ｅｓｓｅｎｔｉａｌｌｙ）“書く（ｗｒｉｔｅ）”ことが出来る。アダプターに於ける様に、該クーパー特許出願は、オーソライズされない人によるカードのスキミング又は使用に対する何らの保護も提供しない。更に、（磁気ストライプ上の各データビットの下に１つの）多数の個別コイルが必要なために、これらのコイルのカード上の設計への付加時、著しいコストが招かれる。この様なカードの電力要求も問題である。
【０００６】
従って、スマートカードの利点を有し、アダプターの使用無しで磁気ストライプリーダーとインターフエース（ｉｎｔｅｒｆａｃｅ）する実用的で、安全なカードの必要がある。更に、該デバイス上の多数の勘定内のデータの紛失（ｌｏｓｓ）又は不正取り込み（ｆｒａｕｄｕｌｅｎｔ  ｃａｐｔｕｒｅ）の場合にデバイス保持者へのリスクを減らすために、多数勘定／応用（ｍｕｌｔｉｐｌｅ  ａｃｃｏｕｎｔ／  ａｐｐｌｉｃａｔｉｏｎ）のカード及びデバイス内での適当な認証を求めるニーヅがある。
【特許文献１】米国特許出願公開第２００３／００５７２７８Ａ１号明細書、“Ａｄｖａｎｃｅｄ  Ｍａｇｎｅｔｉｃ  Ｓｔｒｉｐｅ  Ｂｒｉｄｇｅ（ＡＭＳＢ）”、Ｊａｃｏｂ  Ｙ．  Ｗｏｎｇ、ｐｕｂｌｉｓｈｅｄ  ｏｎ  Ｍａｒｃｈ  ２７，  ２００３
【特許文献２】米国特許出願公開第２００２／０００３１６９Ａ１号明細書、“Ｕｎｉｖｅｒｓａｌ  Ｃｒｅｄｉｔ  Ｃａｒｄ  Ａｐｐａｒａｔｕｓ  ａｎｄ  Ｍｅｔｈｏｄ”、Ｊ．  Ｃａｒｌ  Ｃｏｏｐｅｒ、ｐｕｂｌｉｓｈｅｄ  ｏｎ  Ｊａｎｕａｒｙ  １０，  ２００２
【発明の開示】
【課題を解決するための手段】
【０００７】
本発明は、スマートカードの利点を有し、アダプター又はブリッジの使用無しに現在の世界中の磁気ストライプリーダーとインターフエースする、実用的で安全なカード又はデバイス用のシステム、方法及び装置を提供する。更に、本発明は、該デバイスの紛失、又は該デバイス上の多数の勘定内のデータの不正な取り込み、による該デバイス保持者へのリスクを減じるために多数の勘定／応用のカード及びデバイスでの適当な認証を許容する。結果として、本発明は、アクセス、クレディット、デビット、同定、セキュリテイ、価値内蔵及び特定ベンダー向け、のカード及び／又はデバイスを使って、セキュリテイ及び／又は商業的処理用の安全で柔軟なシステムを提供する。
【０００８】
ここで説明される本発明は、該ストライプのトラック内のデータが、該カード又はデバイスのプロセサー／制御器内のロジックにより空間的に操作され、管理され得る様な、ユーザーのカード／デバイス上の生物測定学的認証とプログラム可能な磁気ストライプの使用により磁気ストライプカード及びデバイス用の厳重な保護を提供する。これは磁気ストライプデータがカード保持者の保護用に修正されるか完全に消され、そして次いで該カード又はデバイス内に組み込まれたプログラム可能な特徴により要求に応じて（ｏｎ−ｄｅｍａｎｄ）で創り直されることを可能にする。代わりに、該データは該カード上のプロセサー／制御器内に記憶され、次いで時間変化する信号（ｔｉｍｅ−ｖａｒｙｉｎｇ  ｓｉｇｎａｌ）を介してカードリーダーへ送信され、それにより該磁気カードリーダーを通した磁気ストライプのスワイプをエミュレートする。加えて、該カード又はデバイスは非接触通信システムを介してこの様な情報を提供することが出来る。又これらの能力はデータ及び応用の多数のセットが１つのカード、デバイス又は媒体（ｍｅｄｉａ）上に組み込まれることを可能にし、それによりそれを、該カード上のプロセサーのメモリーから該磁気ストライプ上に１時的にダウンロードされ、望まれる応用に使われ、そして次いで修正又は消去され得る、多数セットのデータ（例えば、勘定）及び／又は応用を有する汎用カード／デバイスにする。最後に、上記特徴の幾つか又は全部は、該カードのオーナーがそれらをカード上の生物測定学的センサーと該カード保持者に予め登録されるロジックの使用によりイネーブル（ｅｎａｂｌｅｓ）にするまでディスエイブル（ｄｉｓａｂｌｅｄ）にされることが可能である。結果として、最大のセキュリテイが保証されるが、それは該カードは、もしそれが紛失されたり又は盗まれた場合、使用され得ず、該オーナーによりオーソライズされた基本的処理に続く磁気ストライプデータの敏速な修正と消去により、スキミングは事実上除かれ得るからである。
【０００９】
本発明は、基盤と、該基盤内に配置され常時は不活性である磁場発生器（ｍａｇｎｅｔｉｃ  ｆｉｅｌｄ  ｇｅｎｅｒａｔｏｒ）と、該基盤上の設置された生物測定学的センサー（ｂｉｏｍｅｔｒｉｃ  ｓｅｎｓｏｒ）と、該基盤内に配置されたメモリーと、そして該磁場発生器、該生物測定学的センサー及び該メモリーと通信可能に接続され該基盤内に配置されたプロセサーと、を有する装置又はユーザーデバイスを提供する。該プロセサーは、ユーザーが該装置を使うようオーソライズされていることを検証するために該生物測定学的センサーから受信した生物測定学的情報を処理し、そして該ユーザーが検証されると該磁場発生器を賦活するよう動作可能である。又電源が該基盤内に配置され、該磁場発生器、該生物測定学的センサーそして該プロセサーへ電気的に接続される。該磁場発生器は磁気ストライプ及び１つ以上の誘導コイルを使って空間的磁気信号を創るか、又は磁気カードリーダーを通して磁気ストライプカードをスワイプすることから得られるデータをエミュレートするために時間変化する磁気信号を創ることが出来る。結果として、該磁場発生器はプログラム可能な磁気ストライプをエミュレートする。
【００１０】
本発明は又１人以上のユーザーに付随する情報を含む装置と、常時は不活性である磁場発生器とそして生物測定学的センサーと、を使って、処理を可能にする方法を提供する。該方法は、該生物測定学的センサーからの認証データを受信する過程と、該認証データが該ユーザーの１人用に有効であるかどうかを決定する過程と、そして該認証データが有効な時は何時も、該磁場発生器を賦活しそして該認証されたユーザーに付随する情報に対応する磁気信号を発生する過程と、を具備する。該方法はコンピュータ読み出し可能な媒体内に具体化された、ミドルウエア（ｍｉｄｄｌｅｗａｒｅ）の様な、コンピュータプログラムにより行われ、そこでは各過程は１つ以上のコードセグメントとして実現される。
【００１１】
加えて、本発明は、１つ以上のユーザーデバイスと、該ユーザーデバイスと通信するよう動作可能な１つ以上のシステムインターフエースと、そして該１つ以上のシステムインターフエースと通信可能に接続されたシステムプロセサーと、を有するシステムを提供する。各ユーザーデバイスは基盤と、該基盤内に配置され常時は不活性である磁場発生器と、該基盤上に設置された生物測定学的センサーと、該基盤内に配置されたメモリーとそして該基盤内に配置され、該磁場発生器、該生物測定学的センサーそして該メモリーと通信可能に接続されたデバイスプロセサーと、を有する。該デバイスプロセサーは、ユーザーが該装置を使うようオーソライズされていることを検証するため該生物測定学的センサーから受信した生物測定学的情報を処理し、該ユーザーが検証されると該磁場発生器を賦活するよう動作可能である。該ユーザーデバイスは又該基盤内に配置され、該磁場発生器、該生物測定学的センサーそして該デバイスプロセサーと電気的に接続された電源を有する。
【実施例１】
【００１２】
本発明の種々の実施例の生産と応用が商業的な及び安全関連の処理（ｔｒａｎｓａｃｔｉｏｎｓ）の認証及び処置に関連して下記で詳細に論じられるが、本発明が広い種類の特定の文脈で具体化される多くの応用可能な新規概念を提供することは評価されるべきである。ここで論じられる特定の実施例は、本発明品を作り、使う特定の方法の図解に過ぎず、本発明の範囲を限定するわけではない。
【００１３】
本発明は、スマートカードの利点を有し、アダプター又はブリッジの使用無しに現在の世界的な磁気ストライプリーダとインターフエースする、実用的で安全なカード又はデバイスのためのシステム、方法及び装置を提供する。更に、本発明は、該デバイスの紛失又
は該デバイス上の多数の勘定（ａｃｃｏｕｎｔｓ）内のデータの不正な取り込み、による該デバイス保持者へのリスクを減じるために、多数の店用カード／応用カード（ａｃｃｏｕｎｔ／ａｐｐｌｉｃａｔｉｏｎ  ｃａｒｄｓ）に於ける適切な認証を可能にする（ａｌｌｏｗ  ｆｏｒ）。結果として、本発明は、アクセス、クレディット、デビット、同定、セキュリテイ、価値内蔵及び特定ベンダー向け、のカード及び／又はデバイスを使うセキュリテイ及び／又は商業的処理用の安全で柔軟なシステムを提供する。
【００１４】
ここで説明する本発明は、該ストライプのトラック内のデータが該カード又はデバイスのプロセサー／制御器内のロジックにより操作及び管理され得るよう、ユーザーのカード／デバイス上の生物測定学的認証と、プログラム可能な磁気ストライプと、の使用により磁気ストライプカード及びデバイスついての厳格な防御（ｓｔｒｉｎｇｅｎｔ  ｐｒｏｔｅｃｔｉｏｎｓ）を提供する。これは磁気ストライプデータが、該カード保持者の防御用に修正又は完全消去され、次いで該カード又はデバイスに組み入れられたプログラム可能な特徴によって、要求に応じて（ｏｎ−ｄｅｍａｎｄ）創り直されることを可能にする。代わりに、該データはカード上のプロセサー／制御器内に記憶され、次いで時間変化する信号を介してカードリーダーへ送信され、それにより磁気カードリーダーを通した磁気ストライプのスワイプをエミュレートする。加えて、該カード又はデバイスはこの様な情報を非接触通信システムを経由して提供出来る。これらの能力は又多数セットのデータ及び応用が１つのカード、デバイス又はメディア上に組み込まれることを可能にして、それによりそれを、該カード上のプロセサーのメモリーから該磁気ストライプ上に１時的にダウンロードされ、望まれる応用に使用され、そして次いで修正又は消去される多数セットデータ（勘定）及び／又は応用を有する汎用カード／デバイスにする。最後に、上記特徴の幾つか又は全部は、該カードのオーナーがそれらを、カード上の生物測定学的センサーと、該カード保持者に予め登録されたロジックと、の使用によりイネーブルにするまでディスエーブルにされることが出来る。結果として、該カードは、もしそれが紛失される又は盗まれた場合、使われ得ず、そして該オーナーによりオーソライズされた基本的処理に続く該磁気ストライプデータの敏速な修正又は消去により、スキミングは事実上排除され得るので、最大のセキュリテイが保証される。
【００１５】
今図３を参照すると、本発明の１実施例による処理を可能にするためのシステム３００のブロック線図が示されている。特に、本発明は、１つ以上のユーザーデバイス３０２、該ユーザーデバイス（複数を含む）３０２と通信するよう動作可能な１つ以上のシステムインターフエース３０４そして該１つ以上のシステムインターフエース３０４に通信可能に接続されたシステムプロセサー又は制御器３０６を有するシステム３００を提供する。各ユーザーデバイス３０２は、常時は不活性の磁場発生器３０８，生物測定学的センサー３１０，メモリー３１２，デバイスプロセサー又は制御器３１４そして電源３１６を有する。該メモリー３１２とデバイスプロセサー３１４は１つの集積回路内に集積されてもよい。該デバイスプロセサー３１４は又スマートカードプロセサー（ｓｍａｒｔ  ｃａｒｄ
ｐｒｏｃｅｓｓｏｒ）と特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ）｛“エイシック（ＡＳＩＣ）”｝チップを有してもよい。加えて、該電源３１６は電力管理ユニット（ｐｏｗｅｒ  ｍａｎａｇｅｍｅｎｔ  ｕｎｉｔ）３１８により制御されてもよい。該磁場発生器３０８，生物測定学的センサー３１０そしてメモリー３１２は全て該デバイスプロセサー３１４に通信可能に接続される。該磁場発生器３０８，生物測定学的センサー３１０、メモリー３１２そしてデバイスプロセサー３１４は全て該電力管理ユニット３１８経由で該電源３１６に電気的に接続される。もしユーザーデバイス３０２が電力管理ユニット３１８を有しないならば、該磁場発生器３０８，生物測定学的センサー３１０，メモリー３１２そしてデバイスプロセサー３１４は全て該電源３１６に電気的に接続される。該デバイスプロセサー３１４はユーザーが該デバイス３０２を使うようオーソライズされていることを検証するために該生物測定学的センサー３１０から受信した生物測定学的情報を処理し、該ユーザーが検証された時該磁場発生器３０８を賦活するよう動作可能である。
【００１６】
該磁場発生器３０８は、磁気ストライプカードを磁場カードリーダーを通してスワイプすることから得られるデータをエミュレートするために空間的磁気信号か又は時間変化する磁気信号か何れかを創ることによりプログラム可能な磁気ストライプをエミュレートする（図５Ｂ参照）。該空間的磁気信号は、該基盤上に設置されるか又は該基盤内に配置されるか何れかの磁気ストライプと、該磁気ストライプの下の該基盤内に配置される１つ以上の誘導コイル（ｉｎｄｕｃｔｉｏｎ  ｃｏｉｌｓ）と、そして該１つ以上の誘導コイルに接続され、該１つ以上の誘導コイルと該磁気ストライプを介して磁気信号を発生するよう動作可能な、該基盤内に配置された制御器と、を使って創られる（図５Ｂ参照）。何れの場合も、該磁気信号は、ユーザー名、ユーザー番号、デバイス満了期日、処理の承認／否認、他の様な処理を可能にする２進データ（ｂｉｎａｒｙ  ｄａｔａ）を含む。典型的磁気ストライプは３つのトラックを含み、そこでは各トラックは１セットの磁気データセル（ｍａｇｎｅｔｉｃ  ｄａｔａ  ｃｅｌｌｓ）を有する。該磁場発生器３０８は、デバイス３０２が他のデバイスを置き換え出来るよう、もう１つのデバイスから磁気ストライプを読むよう構成されてもよいことを注意しておく。該磁気ストライプから読まれた情報は、適切な認証時、磁場発生器３０８による後刻の送信用にメモリー３１２内に記憶されるだろう。
【００１７】
該生物測定学的センサー３１０は指紋センサー、網膜センサー（ｒｅｔｉｎａ  ｓｅｎｓｏｒ）又はボイスセンサー（ｖｏｉｃｅ  ｓｅｎｓｏｒ）又は記憶されたデータと比較され得る個人の独特（ｕｎｉｑｕｅ）な特性を検出出来る他のセンサーデバイスを含んでもよい。この様な指紋センサーの１例は指紋の峰（ｒｉｄｇｅｓ）と谷（ｖａｌｌｅｙｓ）に対応する高低点（ｈｉｇｈ  ａｎｄ  ｌｏｗ  ｐｏｉｎｔｓ）を検出するよう動作可能な点のマトリックス（ｍａｔｒｉｘ）を有する。指紋センサーのもう１つの例は放射器（ｅｍｉｔｔｅｒ）と検出器（ｄｅｔｅｃｔｏｒ）であり、そこでは該放射器により投射（ｐｒｏｊｅｃｔｅｄ）された光がユーザーの指から該検出器上に反射される。
【００１８】
該デバイス３０２が初期化（ｉｎｉｔｉａｌｉｚｅｄ）又はユーザーにリンクされると、該生物測定学的センサー３１０は該ユーザーについての生物測定学的情報を集めるために使われる。この生物測定学的情報は該ユーザーの生物測定学的アナログ（ｂｉｏｍｅｔｒｉｃ  ａｎａｌｏｇ）として該メモリー３１２内に記憶される。その後、そして図７を参照して下記で説明される様に、生物測定学的情報すなわち認証データ（ｂｉｏｍｅｔｒｉｃ  ｉｎｆｏｒｍａｔｉｏｎ  ｏｒ  ａｕｔｈｅｎｔｉｃａｔｉｏｎ  ｄａｔａ）は該生物測定学的センサー３１０により得られ、認証用に該デバイスプロセサー３１４へ送られる。該デバイスプロセサー３１４は、該認証データをメモリー３１２内に記憶された生物測定学的テンプレートと比較することにより、該認証データが該ユーザーの１人用に有効かどうかを決定する。もし該認証データが有効なら、該デバイスプロセサー３１４は該磁場発生器３０８を賦活し、磁気信号として送信されるよう２進データを該磁場発生器３０８に提供する。次いで該磁場発生器３０８は該認証されたユーザーに付随する情報と選択された応用とに対応する磁気信号を発生する。該デバイスプロセサー３１４は次いで、該磁場発生器３０８が指定された時間の間活性になった後、該磁場発生器３０８を非活性化（ｄｅａｃｔｉｖａｔｅ）する。代わりに、該デバイスプロセサー３１４は、該生物測定学的センサー３１０が該オーソライズされたユーザーを最早検出しないか又は処理完了信号が受信された時、該磁場発生器３０８を非活性化してもよい。本発明は、（１）該磁場発生器３０８を通常不活性に保ち、（２）該ユーザーがオーソライズされた後だけ、該磁場発生器３０８を賦活しそして磁気信号を送信し、そして（３）或る時間経ったその後（ｓｏｍｅｔｉｍｅ  ｔｈｅｒｅａｆｔｅｒ）該磁場発生器をディスエーブルにする、ことにより該デバイス３０２の電力消費を減じ、セキュリテイを高める。追加的電力消費は、外部信号の受信、生物測定学的センサー３１０との接触又はユーザー入力／コマンドの様な、或る賦活パラメーターが充たされるまで、該デバイス３０２をスリープ又は低電力モード（ｓｌｅｅｐ  ｏｒ  ｌｏｗ  ｐｏｗｅｒ  ｍｏｄｅ）に保つことにより、減じられ得る。
【００１９】
該電源３１６は、バッテリー、ピエゾ電気発生器（ｐｉｅｚｏｅｌｅｃｔｒｉｃ  ｇｅｎｅｒａｔｏｒ）、ソーラーパネル（ｓｏｌａｒ  ｐａｎｅｌ）、電磁エネルギー変換器（ｅｌｅｃｔｒｏｍａｇｎｅｔｉｃ  ｅｎｅｒｇｙ  ｃｏｎｖｅｒｔｅｒ）［受動的無線周波識別（ｐａｓｓｉｖｅ  Ｒａｄｉｏ  Ｆｒｅｑｕｅｎｃｙ  Ｉｄｅｎｔｉｆｉｃａｔｉｏｎ）｛“アールエフアイデー（ＲＦＩＤ）”｝システムで使われる様な］、運動エネルギー変換器（ｋｉｎｅｔｉｃ  ｅｎｅｒｇｙ  ｃｏｎｖｅｒｔｅｒ）又はそれらの何等かの組み合わせを含んでもよい。例えば、該電源３１６はバッテリー、電力発生器（ｐｏｗｅｒ  ｇｅｎｅｒａｔｏｒ）、変換器（ｃｏｎｖｅｒｔｅｒ）及びマルチプレクサー（ｍｕｌｔｉｐｌｅｘｅｒ）を含んでもよい。該変換器は該電力発生器に電気的に接続され、該電力発生器から受けた電力を該デバイス３０２により使用可能な電力に変換するため又は該バッテリーを充電するため使用可能である。該バッテリー管理ユニット（ｂａｔｔｅｒｙ  ｍａｎａｇｅｍｅｎｔ  ｕｎｉｔ）３１８は該バッテリーに接続される。該電力マルチプレクサーは該バッテリー管理ユニット３１８及び該変換器に接続される。該電力マルチプレクサーは該バッテリー管理ユニットから、該変換器から、或いは両者から電力を引き出す（ｄｒａｗ）かどうかを決めるために動作可能である。
【００２０】
該デバイス３０２は又ユーザーインターフエース３２０を有するがそれは該デバイスプロセサー３１４と通信可能に接続されそして該電源３１９に電気的に接続される｛電力管理ユニット（ｐｏｗｅｒ  ｍａｎａｇｅｍｅｎｔ  ｕｎｉｔ）３１８経由で｝。該ユーザーインターフエース３２０はタッチパッド（ｔｏｕｃｈ  ｐａｄ）、１つ以上のボタン（ｂｕｔｔｏｎｓ）、デイスプレー、ボイスセンサー又は他の既知のユーザーインターフエースを有してもよい。該デバイス３０２は又該デバイスプロセサー３１４と通信可能に接続去れ、（電力管理ユニット３１８を経由して）該電源３１６に電気的に接続された非接触インターフエース３２２を有してもよい。該非接触インターフエース３２２は無線通信用アンテナ、光学的トランシーバー（ｏｐｔｉｃａｌ  ｔｒａｎｓｃｅｉｖｅｒ）又は他の既知の非接触通信方法を含んでもよい。加えて、該デバイス３０２は又該デバイスプロセサー３１４と通信可能に接続され、（電力管理ユニット３１８を経由して）電源３１６に電気的に接続されたスマートカードインターフエース３２４を有してもよい。更に、該デバイス３０２は、該デバイスプロセサー３１４と通信可能に接続され、（電力管理ユニット３１８経由で）該電源３１６に電気的に接続された光学的又は他の種類の入力／出力（Ｉ／Ｏ）インターフエース３２６を有してもよい。
【００２１】
該デバイス３０２の部品は典型的に基盤内に配置されるか又はその上に設置される。例えば、該生物測定学的センサー３１０，ユーザーインターフエース３２０、スマートカードインターフエース３２４そして光学的又は他のＩ／Ｏインターフエース３２６は典型的に該基盤上に設置されるが、該メモリー３１２，デバイスプロセサー３１４，電源３１６そして電力管理ユニット３１８は典型的に該基盤内に配置される。該磁場発生器３０８と非接触インターフエース３２２は該基盤上に設置されるか又は該基盤内に配置されることが可能である。該基盤用に使われる材料の種類と該基盤の最終特性は、該デバイス３０２用に望まれる応用と作動環境に依るであろう。多くの場合、該基盤はプラスチック又は積層材料（ｐｌａｓｔｉｃ  ｏｒ  ａ  ｌａｍｉｎａｔｅ  ｍａｔｅｒｉａｌ）の様なやや柔軟な（ｓｅｍｉ−ｆｌｅｘｉｂｌｅ）材料である。該基盤は次いで、アクセスカード、クレディットカード、デビットカード、同定（ｉｄｅｎｔｉｆｉｃａｔｉｏｎ）カード、ミニカード、セキュリテイカード、価値内蔵カード（ｓｔｏｒｅｄ  ｖａｌｕｅ  ｃａｒｄ）そして特定ベンダー向けカード（ｖｅｎｄｏｒ−ｓｐｅｃｉｆｉｃ  ｃａｒｄ）、他の様なカード内に一体化（ｉｎｔｅｇｒａｔｅｄ）され得る。該基盤は又パスポート、イ
ミグレーションカード（ｉｍｍｉｇｒａｔｉｏｎ  ｃａｒｄ）そしてビザ（ｖｉｓａ）、他の様なトラベルクレデンシャル（ｔｒａｖｅｌ  ｃｒｅｄｅｎｔｉａｌ）に一体化されてもよい。加えて、該基盤はパーソナルデータアシスタント（ｐｅｒｓｏｎａｌ  ｄａｔａ  ａｓｓｉｓｔａｎｔ）｛ピーデーエイ（ＰＤＡ）｝、遠隔通信デバイス（ｔｅｌｅｃｏｍｍｕｎｉｃａｔｉｏｎｓ  ｄｅｖｉｃｅ）、ページャー（ｐａｇｅｒ）、コンピュータそして電子メールトランシーバー（ｅｌｅｃｔｒｏｎｉｃ  ｍａｉｌ  ｔｒａｎｓｃｅｉｖｅｒ）、他の様な個人的通信デバイス（ｐｅｒｓｏｎａｌ  ｃｏｍｍｕｎｉｃａｔｉｏｎ  ｄｅｖｉｃｅ）内に一体化されてもよい。更に、該基盤は時計（ｗａｔｃｈ）、ジュエルリー（ｊｅｗｅｌｒｙ）、キイリング（ｋｅｙ  ｒｉｎｇ）、タグ（ｔａｇ）そして眼鏡（ｅｙｅ  ｇｌａｓｓｅｓ）、他内に一体化されてもよい。
【００２２】
該１つ以上のシステムインターフエース３０４は、デバイス初期化インターフエース３２８，磁気リーダー３３０，無線通信インターフエース（トランシーバー）３３２，スマートカードリーダー３３４，又は光学的又は他の入力／出力インターフエース３３６を有してもよい。該１つ以上のシステムインターフエース３０４は、望まれる応用と実施例により、物理的に又は非接触で、ユーザーデバイス３０２と通信するため使われる。他の非システムインターフエース（ｎｏｎ−ｓｙｓｔｅｍ  ｉｎｔｅｒｆａｃｅ）はバッテリー再充電器（ｂａｔｔｅｒｙ  ｒｅｃｈａｒｇｅｒ）、パーソナルコンピュータインターフエース又はパーソナルデータアシスタント（ピーデーエイ）を含む。該１つ以上のシステムインターフエース３０４はシステムプロセサー又は制御器３０６と通信可能に接続され、該システムプロセサー又は制御器は今度はネットワーク３４０を経由してデータベース（ｄａｔａｂａｓｅ）３３８又は１つ以上の遠隔システム又はコンピュータ３４２に通信可能に接続されてもよい。ネットワーク３４０はローカルエリアネットワーク又はインターネットの様なワイドエリアネットワークであってもよい。
【００２３】
今図４Ａを参照すると、本発明の生物測定学的に可能にされプログラム可能な磁気ストライプを使って処理を可能にするためのカードの例示的実施例の前面（ｆｒｏｎｔ）４００が示される。該カードはクレディットカード又はデビットカードの形で示されるが、アクセスカード、同定カード、ミニカード、セキュリテイカード、価値内蔵カードそして特定ベンダー向けカード、他として使われてもよい。該カードの前面４００は、発行者名（ｉｓｓｕｅｒ’ｓ  ｎａｍｅ）４０２，生物測定学的センサー３１０，写真又はＩ／Ｏインターフエース４０４（ユーザーインターフエース３２０又は他のＩ／Ｏインターフエース３２６）、スマートカードインターフエース３２４，カード番号４０６，満了期日４０８，カード保持者名４１０そしてホログラム（ｈｏｌｏｇｒａｍ）４１２を有する。又他の情報及び特徴が該カード上又はその中に置かれてもよい。当業者により評価される様に、上記説明の特徴は該カード用の特定の応用に適合するために配置し直されるか又は取り除かれることも可能である。
【００２４】
今図４Ｂを参照すると、本発明により生物測定学的に可能にされプログラム可能な磁気ストライプを使って処理を可能にするカードの例示的実施例の背面４５０が示されている。該カードの該背面４５０は、磁場発生器３０８（プログラム可能な磁気ストライプ），該カード保持者がオーソライズされた署名を書くための範囲４５２そして発行者のコンタクト情報及びディスクレーマー（ｄｉｓｃｌａｉｍｅｒｓ）４５４を有する。又他の情報及び特徴が該カード上又は内部に置かれてもよい。当業者により評価される様に、上記特徴は該カード用の特定の応用に適合するために配置し直されたり、或いは除かれることも可能である。
【００２５】
今図５Ａを参照すると、本発明の１実施例により多数の誘導性コイル（ｉｎｄｕｃｔｉｖｅ  ｃｏｉｌｓ）５１８−５３０を使うプログラム可能な磁気ストライプ５００（図３では３０８）のブロック線図が示される。該プログラム可能な磁気ストライプ５００（図
３では３０８）は磁気ストライプ５０２，多数の誘導性コイル５１８−５３０そして制御回路５３２を有する。該磁気ストライプ５０２は１つ以上のセットの磁気データセル５０４−５１６を含む。例えば、磁気ストライプ５０２は典型的に磁気データセル５０４−５１６の３つのトラック又はセットを含む。該個別の誘導性コイル５１８−５３０は該２進の磁気データセル５０４−５１６の各々の直下に設置される。各誘導性コイル５１８−５３０は制御回路５３２に電気的に接続されるが、該回路は該デバイスプロセサー３１４内に集積化されてもよい（図３）。正又は負の電流が各コイル５１８−５３０に印加されると、それは、その直上の磁気ストライプ５０２のデータトラックの２進の磁気データセル５０４−５１６内の磁化粒子の極性（ｐｏｌａｒｉｔｙ  ｏｆ  ｔｈｅ  ｍａｇｎｅｔｉｚｅｄ  ｐａｒｔｉｃｌｅｓ）を変え、それにより該磁気ストライプ５０２材料内に空間的に変化する２進コード又は磁気信号を創り、それはこの様な２進コードがＩＳＯ標準に従い適用されると、標準磁気カードリーダーにより読まれることが可能である。
【００２６】
今図５Ｂを参照すると、本発明のもう１つの実施例により、直接該カード上の制御器から、磁気カードリーダーへエミュレートされた時間変化する磁気ストライプデータを送るために、１つの誘導コイル５５２を使う、プログラム可能な磁気ストライプ５５０（図３の３０８）のブロック線図が示される。該プログラム可能な磁気ストライプ５５０（図３の３０８）は磁気ストライプ５０２，１つの誘導性コイル５５２そして制御回路５５４を有する。該磁気ストライプ５０２は磁気データセルの１つ以上のセット５０４−５１６を含む。例えば、磁気ストライプ５０２は典型的に３つのトラック又はセットの磁気データセル５０４−５１６を含む。長い誘導性コイル５５２は、該カードが該磁気リーダーを通してスワイプされた時、時間変化する信号が磁気カードリーダーのヘッドへ送信されるように、該磁気ストライプ５０２とその対応する２進の磁気データセル５０４−５１６の全長の直下に設置される。そのデータレートは標準リーダーが適応出来る最小及び最大スワイプ速度に基づき決定される。換言すれば、該１つの誘導性コイル５５２は、該カードから該カードリーダーへ該時間変化する信号を送信するのに必要な全時間の間それが該カードリーダーヘッドに物理的に隣接しているのに充分な程長い。該誘導性コイル５５２は制御回路５５４に電気的に接続されるが、該回路は該デバイスプロセサー３１４内に集積化されてもよい（図３）。この仕方で構成を確立することにより、該リーダーを通るようスワイプされるカードの時間変化するデータストリーム（ｔｉｍｅ−ｖａｒｙｉｎｇ  ｄａｔａ  ｓｔｒｅａｍ）がエミュレートされ、かくして、もし該磁気ストライプ５０２内の多数の空間的に分布したデータセル５０４−５１６内の２進データを有するカードが、該リーダを通るようスワイプされるなら見られると同じ磁気データストリームを該磁気ストライプリーダーのリーダーヘッド（ｒｅａｄｅｒ  ｈｅａｄｓ）へ提供するように、該誘導性コイル５５２は変動する電流及び電流方向でパルス駆動され得る。この磁気信号は、従って、該ストライプ５０２の個別データセル５０４−５１６内に埋め込まれた望まれる情報を有する磁気ストライプカードのスワイプにより発生されるデータをエミュレートするであろう。
【００２７】
個別データセル５０４−５１６は常時はデータが空であることを注意されたい。データ転送がスタートされ得るよう該カードが賦活され得る幾つかの方法がある。例えば、該カードは、該生物測定学的センサー３０２（図３）のリング内に形成され得て、ユーザーが彼自身／彼女自身を認証する用意が出来た時、該カードを“目覚めさせ（ｗａｋｅ  ｕｐ）”、該カードの使用を始めるため使われ得る、低電力静電容量センサー（ｌｏｗ−ｐｏｗｅｒ  ｃａｐａｃｉｔａｎｃｅ  ｓｅｎｓｏｒ）の様な、カード上（ｏｎ−ｃａｒｄ）の“イネーブルボタン（ｅｎａｂｌｅ  ｂｕｔｔｏｎ）”を使って、オーソライズされたユーザーにより最初に賦活されることが出来る。エミュレートされたデータの送信を可能にする時間長さを決めるのに使うため、カードユーザーの認証はタイムスタンプされる（ｔｉｍｅ  ｓｔａｍｐｅｄ）。加えて、該磁気リーダー３３０（図３）は、カードが該カードリーダー３３０（図３）に直面していることを該カードに警報するよう、該カード上の検出器に合図するスタート番人（ｓｔａｒｔ  ｓｅｎｔｉｎｅｌ）を有してもよい。一旦該カードが、それがリーダー３３０（図３）を通るべくスワイプされようとしていることを警報されると、それは該デバイスプロセサーから該誘導性コイル５５２への該エミュレートされ時間変化するデータの送信を始め、それにより個別データセル５０４−５１６内に含まれる空間的に変化するデータを用いて、該カードを該リーダー３３０（図３）を通してスワイプすることにより作られるであろうデータの、精確なエミュレーションと該リーダー３３０（図３）への送信を行う。エミュレートされたカードデータのこの様な送信の全ては、該カードユーザーの有効な生物測定学的認証と、それに引き続き、該カードが該リーダーヘッドに直面していること、そして該リーダー３３０（図３）が該カード上の該スタート番人を認識したので該リーダー３３０（図３）が該デバイスプロセサーにより提供されるエミュレートされたデータ流れを受け入れる用意があること、を該カードが検出すること次第で決まる。一旦該磁気カードリーダー３３０（図３）によるデータの初期読み出しが完了すると、該デバイスプロセサー３１４（図３）からのデータの送信は停止される。この作用は基本的処理が完了した後、カード情報のスキミングを防止する。
【００２８】
今図６を参照すると、プログラム可能な磁気カード６００は図５Ａ又は５Ｂで図解した誘導性コイルを装備している。該カードのユーザーの積極的認証を可能にするため、カード上の生物測定学的センサー３１０が組み込まれる。これは生物測定学的センサー３１０からカード上の制御プロセサー３１４への生物測定学的テンプレートを送信することにより達成され、該プロセサーは該生物測定学的センサー３１０から送られたテンプレート上で該カードのオーソライズされたユーザーから得られたテンプレートとのマッチング操作（ｍａｔｃｈｉｎｇ  ｏｐｅｒａｔｉｏｎ）を行うが、この様なオーソライズされたテンプレートは該オーソライズされたカードオーナー及び／又はユーザーの初期登録から該制御プロセサー３１４（メモリー３１２）内に定在している。一旦この様な生物測定学的マッチングが達成されると、制御プロセサー３１４は該プログラム可能な磁気ストライプ３０８（磁場発生器；又図５Ａと５Ｂの５０２参照）の個別データトラック内にダウンロードされるべき必要な勘定番号及び／又はカード応用（ａｃｃｏｕｎｔ  ｎｕｍｂｅｒｓ  ａｎｄ／ｏｒ  ｃａｒｄ  ａｐｐｌｉｃａｔｉｏｎ）をオーソライズし、該磁気ストライプは次いで該カードが現在の世界的なインフラストラクチャーを通して標準カードリーダーで使われることを可能にする。
【００２９】
今図７を参照すると、本発明によりデバイス３００（図３）の様なデバイスを使うための例示的認証方法７００のフローチャートが示される。該デバイスは１人以上のユーザーに付随する情報、常時は不活性である磁場発生器そして生物測定学的センサーを含んでいる。該デバイスは、アクセス処理、制御処理、財務処理、商業的処理又は同定処理の様などんな種類の処理も可能にするため使われ得る。該デバイスは常時はブロック７０２で示されるスタンバイ又はスリープモードにある。もし決定ブロック７０４で決められる様に、１つ以上の賦活パラメーターが充たされるなら、該デバイスはブロック７０８の活性モードにスイッチされる。さもなければ、該デバイスはブロック７０６で示す様にスタンバイモードに留まる。該１つ以上の賦活パラメーター、該生物測定学的センサーからのデータ検出（例えば、図３の３１０）、インターフエースからの外部信号検出（例えば、図３の３０８，３２２，３２４，３２６）又はユーザーインターフエースからデータの受信（例えば、図３の３２０）を含んでもよい。もし、決定ブロック７１０で決められる様に、該デバイスが活性モード（ａｃｔｉｖｅ  ｍｏｄｅ）にスイッチされた後、認証データが受信されず、そして決定ブロック７１２で決められる様に、該活性時間がタイムアウト（ｔｉｍｅｄ  ｏｕｔ）するなら、該デバイスはブロック７１４でスタンバイモードへスイッチされ、再びブロック７０４で賦活パラメーターを待つ。しかし、決定ブロック７１２で決められる様に、もし該活性モードがタイムアウトしないなら、該デバイスは該活性時間がタイムアウトするまで、受信されるべき認証データを待ち続ける。しかし、もし決定ブロック７１０で決められる時、認証データが該生物測定学的センサーから受信されるなら、該認証データはブロック７１６で検証される。該検証過程は、該認証データを、該デバイスを使うようオーソライズされた又は登録された１人以上のユーザーの記憶された生物測定学的テンプレートと比較することにより、該認証データが該ユーザーの１人用に有効かどうかを決定する。もし該認証データが決定ブロック７１８で決められる時、有効でなくて、そして決定ブロック７１２で決められる時、該活性時間がタイムアウトするなら、該デバイスはブロック７１４でスタンバイモードにスイッチされ、再びブロック７０４で賦活パラメーターを待つ。しかしながら、もし該活性モードが決定ブロック７１２で決められる様に、タイムアウトしないなら、該デバイスは該活性時間がタイムアウトするまで受信されるべき認証データを再び待つであろう。
【００３０】
しかしながら、もし該認証データが、決定ブロック７１８で決められる時、有効ならば、該認証されたユーザーに付随する情報はブロック７２０でアクセスされ、ブロック７２２でデバイス出力へ提供される。該情報は該処理の簡単な承認又は否認、又は該処理を可能にする又は完了するため必要なそのユーザーの個人的情報とすることが出来る。図３を参照して前に説明した様に、該デバイス出力は磁場発生器３０８（プログラム可能な磁気ストライプ），非接触インターフエース３２２，スマートカードインターフエース３２４，又は光学的又は他のアイ／オーインターフエース３２６を含んでもよい。例えば、磁場発生器３０８を使うと、この過程は磁場発生器３０８を賦活する過程と、該認証されたユーザーに付随する情報に対応する磁気信号を発生する過程を含むであろう。加えて、該認証過程（ブロック７１６）、情報アクセス過程（ブロック７２０）又は情報出力過程（ブロック７２２）は又情報をユーザーに表示し、該ユーザーが該処理を出来るようにする情報を選択することを可能にするか、又は該ユーザーが該デバイス出力又は使われるべきインターフエースを選択することを可能にしてもよい。一旦該処理が完了すると、ブロック７２４で決定される様に、ブロック７２８で該情報はデバイス出力（複数を含む）からクリアされ、該デバイスはブロック７１４でスタンバイモードへスイッチされ、該デバイスはブロック７０４で種々の賦活パラメーターを待つ。しかしながら、もし、決定ブロック７２４で決定される様に、該処理が完了せず、該過程が、決定ブロック７２６で決める様に、タイムアウトしないなら、該過程は該処理が完了されるのを待ち続ける。もし該過程が、決定ブロック７２６で決定される様に、タイムアウトしたなら、該情報はブロック７２８で該デバイス出力（複数を含む）からクリアされ、該デバイスはブロック７１４でスタンバイモードへスイッチされ、該デバイスはブロック７０４で種々の賦活パラメーターを待つ。もし該過程がタイムアウトする（例えば、磁場発生器が指定された時間の間活性であった）か又は該生物測定学的センサーが該オーソライズされたユーザーを最早検出しないなら、該過程は該処理を中断しそれを否認するようセットされることが可能である。この方法はコンピュータ読み出し可能な媒体内で具体化される、ミドルウエア（ｍｉｄｄｌｅｗａｒｅ）の様な、コンピュータプログラムにより行われ得て、各過程はその全てが該カード／デバイス上で行われる１つ以上のコードセグメント（ｃｏｄｅ  ｓｅｇｍｅｎｔｓ）として実現されることを注意されたい。
【００３１】
今図８を参照すると、生物測定学を使って非接触の仕方で安全の物理的及び商業的処理をもたらすための例示的デバイス８００の１実施例が示される。後でより詳細に説明される様に、該デバイス８００は生物測定学的センサー８０２、無線周波（“ＲＦ”）アンテナ８０４，制御器８０６，制御ボタン８０８，ダイナミック情報デイスプレー（ｄｙｎａｍｉｃ  ｉｎｆｏｒｍａｔｉｏｎ  ｄｉｓｐｌａｙ）８１０，磁気情報媒体部品（ｍａｇｎｅｔｉｃ  ｉｎｆｏｒｍａｔｉｏｎ  ｍｅｄｉａ  ｃｏｍｐｏｎｅｎｔｓ）８１２、そしてＲＦ電力変換及び電力管理ユニット８１４、の様な多数部品を有する。多数の部品間通信路（ｉｎｔｅｒ−ｃｏｍｐｏｎｅｎｔｓ  ｃｏｍｍｕｎｉｃａｔｉｏｎ  ｐａｔｈｓ）８１６が該デバイス８００の種々の部品間の接続を提供する。
【００３２】
該ＲＦアンテナ８０４は多数機能を果たしてもよい。例えば、それはＲＦ電源により発
せられる（ｅｍａｎａｔｅｄ）ＲＦ場からのＲＦエネルギーを取り込んでもよく、又付随するリーダー／ライターデバイス（ｒｅａｄｅｒ／ｗｒｉｔｅｒ  ｄｅｖｉｃｅ）（示されてない）との双方向通信（ｔｗｏ−ｗａｙ  ｃｏｍｍｕｎｉｃａｔｉｏｎ）をサポートしてもよい。該アンテナ８０４は両機能を行うことが出来る１つのアンテナであってもよく、或いは１つのアンテナは該ＲＦ場からのＲＦエネルギーの取り込み用であり、もう１つのアンテナは該リーダー／ライターデバイスとの双方向通信のサポート用である様な、多数アンテナを有してもよい。該通信は、例えば、該デバイス８００を操作する人の認証された同定（ａｕｔｈｅｎｔｉｃａｔｅｄ  ｉｄｅｎｔｉｆｉｃａｔｉｏｎ）、種々の購入及び財務処理、航空券予約（ａｉｒ  ｔｉｃｋｅｔ  ｂｏｏｋｉｎｇ）及び空港セキュリテイチェックポイント（ａｉｒｐｏｒｔ  ｓｅｃｕｒｉｔｙ  ｃｈｅｃｋ  ｐｏｉｎｔｓ）、そして該デバイス８００と該リーダー／ライターデバイスの間の他の相互作用を含んでもよい。これらの通信はデータ暗号化（ｄａｔａ  ｅｎｃｒｙｐｔｉｏｎ）の様な機構を使って安全化（ｓｅｃｕｒｅｄ）されてもよい。オーディオ又は光学的部品の様な他の通信部品が該アンテナ８０４を置き換える又は補足してもよいことは理解される。加えて、該アンテナ８０４はＲＦより他の波長で機能するよう動作可能であってもよい。
【００３３】
該生物測定学的センサー８０２は該デバイス８００のユーザーの身体的属性（ｐｈｙｓｉｃａｌ  ａｔｔｒｉｂｕｔｅ）を検出し、この身体的属性のアナログ（ａｎａｌｏｇ）を発生するため使われる。該アナログは次いで該制御器８０６に利用可能にされる。特に、該生物測定学的センサー８０２は人の或る身体的属性を検出しその人の特異なアナログを抽出するよう設計される。積極的同定を確立するのに有用であるように、該アナログは全ての人に独特であるよう充分個別化される必要がある。加えて、該アナログの信頼されるコピー−テンプレート（ｔｅｍｐｌａｔｅ）−が取り込まれる（ｃａｐｔｕｒｅｄ）べきである。該生物測定学的センサー８０２により後で検出されるアナログは次いで該テンプレートアナログに対し比較される。指紋、声紋（ｖｏｉｃｅ  ｐｒｉｎｔｓ）、そして網膜（ｒｅｔｉｎａｌ）又は虹彩（ｉｒｉｓ）のプリント（ｐｒｉｎｔｓ）の様な種々の身体的属性が同定目的で使われてもよい。
【００３４】
該制御器８０６は種々の機能を行うために該生物測定学的センサー８０２及び該デバイス８００の他の部品と相互作用する。例えば、該制御器８０６は、オーソライズされたユーザーの信頼されるテンプレートアナログとしての長期貯蔵用としてのみならず認証手順中の貯蔵され信頼されるテンプレートアナログとの即刻の比較用として、該身体的属性のアナログを取り込んでもよい。又該制御器８０６は該比較が該テンプレートアナログと該生物測定学的センサー８０２により取り込まれたアナログとの間のマッチを示すかどうかを決定してもよい。加えて、該制御器８０６は該ダイナミック情報ディスプレー８１０を制御し、該制御ボタン８１０からの入力に応答し、そして磁気情報媒体部品８１２を制御してもよい。更に、該制御器８０６は該ＲＦアンテナ８０４を経由した付随リーダー／ライターデバイス（図９）との双方向通信をサポートする。該制御器は１つの制御器／プロセサーであってもよく或いは多数の制御器／プロセサーを含んでもよい。
【００３５】
該ダイナミック情報ディスプレー８１０は、情報をユーザーに表示するのみならず制御ボタン８１０を使ってユーザーが相互作用する過程をイネーブルにするために使われてもよい。該磁気情報媒体部品８１２はそれが磁場を介して情報を提供するよう操作されてもよい。該ＲＦ電力ユニット８１４はＲＦラジオエネルギー（ＲＦ  ｒａｄｉｏ  ｅｎｅｒｇｙ）を電気エネルギーに変換し、該電気エネルギーの貯蔵と、該デバイス８００内の他の部品への該電気エネルギーの配布を制御してもよい。該デバイス８００は又、該ＲＦ電力制御ユニット８１４用のバックアップ又は代わりの電源として使うために、バッテリー及び／又は他の電力手段を有してもよいことは理解される。
【００３６】
今図９を参照すると、リーダー／ライターデバイス９０２との非接触相互作用を可能に
するデバイスが例示的環境９００内で図解される。この非接触相互作用を達成するために、該デバイス８００は図８を参照して説明される様に、アンテナ８０４を伴って示されている。デバイス９０２はデバイス８００と通信するために１つ以上のアンテナ９０３を使うのみならず、デバイス８００の様な、両立するデバイスへ電力を供給する目的で、ＲＦ場９０６を発する。動作時、該リーダー／ライターデバイス９０２と該デバイス８００の間の双方向通信リンク９０８が確立される。
【００３７】
多くの種々のリーダー／ライターデバイス構成が使われてもよいことが理解される。例えば、該リーダー／ライターデバイス９０２は他のデバイスと、或いはネットワークと通信してもよい。更に、該リーダー／ライターデバイス９０２は他のデバイス又はネットワークと通信してもよい。更に、該リーダー／ライターデバイス９０２は該ＲＦ電源を有してもよく、或いはそれらは別々のデバイスであってもよい。ＲＦ電力の代わりのソースが使われてもよいが、明確さの目的で、本発明例の該リーダー／ライターデバイス９０２はＲＦ電源を有する。
【００３８】
図１０を参照し、そして引き続き図８と９を参照すると、該デバイス８００は下記の方法１０００を使って該環境９００内で動作してもよい。過程１００２で、該デバイス８００は該リーダー／ライターデバイス９０２により発せられるＲＦ場９０６内に置かれる。該ＲＦ場に置かれると、該デバイス８００は該ＲＦ場からの電力を取り込み、該電力は該デバイス８００の電子機器に電力を与える。過程１００４で、該生物測定学的センサー８０２はユーザーにより駆動される。該駆動の方法は生物測定学的センサーの種類に依る（例えば、指紋センサー用の指紋、ボイスセンサー用の発言、他）。過程１００６で、認証過程が該デバイス８００により行われる。前の過程に於ける様に、該認証過程は生物測定学的センサーの種類に依る。例えば、検出された指紋又は音声（ｖｏｉｃｅ）は該デバイス８００のメモリー内のテンプレートと比較されてもよい。過程１００８で、該ユーザーが認証されるかどうかについて決定が行われる。もし認証過程がそのユーザーを認証しない（ｆａｉｌｓ  ｔｏ  ｖａｌｉｄａｔｅ）ならば、該方法１０００は過程１００４へ戻る。もし該ユーザーが該認証過程で認証（ｖａｌｉｄａｔｅｄ）されれば、該方法は過程１０１０へ続き、そこで該デバイス８００は該リーダー／ライターデバイス９０２で望まれる処理を続ける。一旦これが起こると、該デバイス８００は過程１０１２で該ＲＦ場９０６から除去されてもよく、それは該デバイス８００への電力を止める（ｐｏｗｅｒｓ  ｄｏｗｎ）。
【００３９】
今度は図１１を参照すると、もう１つの実施例では、デバイス１１００はクレディットカードのそれと同様なフオーム要素を使う本開示の実施例を図解する。該デバイス１１００のクレディットカードフオーム要素は、指紋センサー１１０２，ＲＦアンテナ１１０４，第１制御器１１０６，第２制御器１１０８，機能セレクターボタン（ｆｕｎｃｔｉｏｎ  ｓｅｌｅｃｔｏｒ  ｂｕｔｔｏｎｓ）１１１０，エレクトロ−ルミネッセントデイスプレー（ｅｌｅｃｔｒｏ−ｌｕｍｉｎｅｓｃｅｎｔ  ｄｉｓｐｌａｙ）１１１２そして磁気ストリップ１１１４の様な、幾つかの部品を有する。本例では、両制御器の機能は１つの制御器により提供されてもよいが、第１制御器１１０６は特定用途向けＩＣ｛“エイシック（ＡＳＩＣ）”｝チップであり、第２制御器はスマートカードチップである。
【００４０】
該エイシック１１０６は該デバイス１１００内での使用のために開発されたカスタム集積回路チップ（ｃｕｓｔｏｍ  ｉｎｔｅｇｒａｔｅｄ  ｃｉｒｃｕｉｔ  ｃｈｉｐ）である。該エイシック１１０６はランダムアクセスメモリー（Ｒａｎｄｏｍ  Ａｃｃｅｓｓ  Ｍｅｍｏｒｙ）｛“ラム（ＲＡＭ）”）を有し、それは該指紋センサー１１０２により検出された現在の指紋アナログを１時的に記憶するため、そして処理計算の即刻の結果（例えば、指紋比較、他）を１時的に記憶するため、使われてもよい。該エイシック１１０６は又、現在の指紋アナログに対する比較用に使われる１つ以上の指紋テンプレートアナロ
グを記憶、検索するために不揮発メモリー（例えば、フラッシメモリー又はＥＥＰＲＯＭ）を有してもよい。
【００４１】
該エイシック１１０６内に含まれる回路は該エイシック１１０６と該指紋センサー１１０２の間のインタフエースを提供する。本例では、該エイシック１１０６は、該エイシック１１０６が並列に該エイシック１１０６に記憶されたインストラクションを実行するために処理要素の配列を使うことを可能にする、専用のプログラムと１時的メモリーとを有するマイクロプロセサーを備える。該インストラクションは該エイシック１１０６が現在の指紋アナログとテンプレート指紋アナログの間の比較を行うことを可能にする。該エイシック１１０６に含まれる他のインストラクションは、認証過程が完了した後、該スマートカード１１０８へ送られる認証信号用のサポートを提供してもよい。加えて、該エイシック１１０６は該エレクトロルミネッセントデイスプレー１１１２を駆動し、機能制御ボタン１１１０を読み、そして該プログラム可能な磁気ストリップ１１１４を駆動するため使われてもよい。
【００４２】
該スマートカードチップ１１０８は種々の応用プログラムをサポートしてもよい。これらの応用は、例えば、個人的人口学的情報（ｐｅｒｓｏｎａｌ  ｄｅｍｏｇｒａｐｈｉｃｓ  ｉｎｆｏｒｍａｔｉｏｎ）の記憶／検索（ｓｔｏｒａｇｅ／ｒｅｔｒｉｅｖａｌ）、カード保持者のデジタル化した画像の記憶／検索、“電子的財布（ｅｌｅｃｔｒｏｎｉｃ
ｐｕｒｓｅ）”機能、財務処理（ｆｉｎａｎｃｉａｌ  ｔｒａｎｓａｃｔｉｏｎｓ）、諸購入（ｐｕｒｃｈａｓｅｓ）、他を含んでもよい。加えて、該スマートカードチップ１１０８は双方向通信データ転送をサポートし、安全な通信をサポートするために種々の暗号機能（ｅｎｃｒｙｐｔｉｏｎ  ｆｕｎｃｔｉｏｎｓ）を行ってもよい。本例では、該通信と暗号処理は既知の標準に基づくが、もし望まれれば、私有プロトコル（ｐｒｏｐｒｉｅｔａｒｙ  ｐｒｏｔｏｃｏｌ）が使われてもよい。スマートカードチップ１１０８は、身分証明検証（ｉｄｅｎｔｉｆｉｃａｔｉｏｎ  ｖａｌｉｄａｔｉｏｎ）、クレディットカード処理、及びその他の様なスマートカード相互作用をサポートすることが予想される。デバイス１１００の制御及び処理機能は該エイシック１１０６，該スマートカードチップ１１０８、該エイシック１１０６と該スマートカードチップ１１０８の何等かの組み合わせ、又は単一チップにより取り扱うことが出来る。
【００４３】
該指紋センサー１１０２は指紋情報を検出し、該検出された情報を該デバイス１１００の他の部品に提供するよう設計される。本例では、該指紋センサー１１０２はポリマー厚膜（ｐｏｌｙｍｅｒ  ｔｈｉｃｋ  ｆｉｌｍ）｛“ピーテーエフ（ＰＴＦ）”｝構造を有し、該構造は該指紋センサー１１０２に該デバイス１１００上での実施に必要な柔軟性と耐久性（ｒｕｇｇｅｄｎｅｓｓ）を提供する。下記で図１２及び１０で詳細に説明する様に、該指紋センサー１１０２は指紋の峰と谷に対応する高，低点を検出するよう動作可能な点のマトリックスを有する。該点は取り込まれ、該検出された指紋アナログがメモリー内の記憶された指紋テンプレートアナログとマッチするかどうかを決めるために該エイシック１１０６により使われる。
【００４４】
図１２を参照すると、１実施例で、該ピーテーエフセンサー１１０２は行電極（ｒｏｗ
ｅｌｅｃｔｒｏｄｅｓ）１２０２と列電極（ｃｏｌｕｍｎ  ｅｌｅｃｔｒｏｄｅｓ）１２０４の長方形配置（ｒｅｃｔａｎｇｕｌａｒ  ａｒｒａｎｇｅｍｅｎｔ）を有する。該ピーテーエフセンサー１１０２の望まれる解像度の様な要因に依り該ピーテーエフセンサー１１０２内により多く又はより少ない列と行が含まれてもよいことを注意しておく（例えば、望まれるデータ点の数）。該行及び列電極１２０２，１２０４からの電気接続は該エイシック１１０６へ回される。
【００４５】
動作時、該ピーテーエフセンサー１１０２により検出された指紋アナログは数値のシー
ケンスとして該エイシック１１０６に取り込まれる。図解の目的で、該行及び列電極１２０２，１２０４は画素の２次元マトリックスとして見られてもよく、数値は該行及び列電極間の交点（ｉｎｔｅｒｓｅｃｔｉｏｎｓ）を表す。該数値はグレイスケール値（ｇｒａｙ  ｓｃａｌｅ  ｖａｌｕｅｓ）と組み合わされてもよく、そして指紋を表すアナログはグレイスケール値のマトリックスから発生される。記憶されたテンプレート指紋アナログと候補指紋アナログ（ｃａｎｄｉｄａｔｅ  ｆｉｎｇｅｒｐｒｉｎｔ  ａｎａｌｏｇ）の間のマッチングは視認過程（ｖｉｓｕａｌ  ｐｒｏｃｅｓｓ）に依存する必要はないので、該取り込まれたアナログを可視画像に変換する必要はないことは理解される。しかしながら、該数値を画像として概念化することは、指紋認証をサポートするよう使われる該センサー解像度を評価する目的で便利である。約２．５４ｃｍ（１インチ）当たりドット｛“デーピーアイ（ｄｐｉ）”｝で１００から５００のグラフィカル解像度（ｇｒａｐｈｉｃａｌ  ｒｅｓｏｌｕｔｉｏｎ）が指紋認証用に充分であることが一般に受け入れられている。本例では、該ピーテーエフセンサー１１０２は約１．２７ｃｍ（１／２”）ラ約１．２７ｃｍ（１／２”）マトリックスに配置された２００行電極と２００列電極を有し、それは４００デーピーアイのグラフイカル解像度に対応する。
【００４６】
今図１３Ａを参照すると、図１１の該ピーテーエフセンサー１１０２の１実施例の機能的層の略図的描写が示される。該ピーテーエフセンサー１１０２は、環状に形作られた頂部側電極（ｔｏｐｓｉｄｅ  ｅｌｅｃｔｒｏｄｅ）１３０２；背部側反射器（ｂａｃｋｓｉｄｅ  ｒｅｆｌｅｃｔｏｒ）を有する絶縁体１３０４；及びエレクトロ−ルミネッセント層１３０６を有する機能層（ｆｕｎｃｔｉｏｎａｌ  ｌａｙｅｒｓ）；絶縁体層（ｉｎｓｕｌａｔｏｒ  ｌａｙｅｒ）１３０８，１３１２，１３１６，及び１３２０；行電極１３１０；列電極１３１４；電気−抵抗性層（ｅｌｅｃｔｒｏ−ｒｅｓｉｓｔｉｖｅ  ｌａｙｅｒ）１３１８；及び電極１３２２；そして基盤層（ｓｕｂｓｔｒａｔｅ  ｌａｙｅｒ）１３２４から成る。該基盤層１３２４は全体デバイス１１００用の基盤の１部である。
【００４７】
動作時、該デバイス１１００のユーザーが該ピーテーエフセンサー１１０２の表面上に指又は親指を置く（指と親指の両者が意図されると理解されるが、以後は指のみを指定する）と、該指は該頂部側電極１３０２に接し、該頂部側電極１３０２へ電気的に接地される。電圧が行電極１３１０に印加されると、該行電極１３１０と該頂部側電極１３０２の間に電場が発生される。該発生される場の強さは該指が該頂部側電極１３０２に如何に近くあるかに依り変わる。例えば、指紋の峰は該ピーテーエフセンサー１１０２の該頂部側電極１３０２に比較的近く、該発生される場を検出可能な仕方で変える。指紋の谷は指紋の峰より該ピーテーエフセンサー１１０２から遠く、指紋の峰により引き起こされた変化からは差動的（ｄｉｆｆｅｒｅｎｔｉａｔｅｄ）な検出可能な仕方で該発生される場を変える。
【００４８】
エレクトロ−ルミネッセント層１３０６は、その上に当たる電場が変わるのにつれてより多い或いはより少ない光を放射し、それにより該ピーテーエフセンサー１１０２に入射する指紋のアナログを発生する。背部側反射器層を有する絶縁体１３０４の反射器部品は該エレクトロ−ルミネッセント層１３０６により放射された多方向光（ｏｍｎｉ  ｄｉｒｅｃｔｉｏｎａｌ  ｌｉｇｈｔ）を反射し、かくして該指紋アナログを増感（ｉｎｔｅｎｓｉｆｙ）させるよう役立つ。該ピーテーエフセンサー１１０２は、１度に１つの行電極のみにバイアス電圧を印加し、１つの行づつ次々とバイアス（ｂｉａｓｉｎｇ）及びアンバイアス（ｕｎｂｉａｓｉｎｇ）することにより動作してもよい。これは該エレクトロ−ルミネッセント層１３０６が該指紋の長く細いストリップのアナログを発生させる効果を有する。これらのアナログの各々を検出し、行シーケンス動作の完了時これらを組み合わせることにより、完全なアナログが集められる。
【００４９】
電場内に置かれた時、その抵抗値がそれに入射した光の輝度で変わることが該電気−抵
抗性層（ｅｌｅｃｔｒｏ−ｒｅｓｉｓｔｉｖｅ  ｌａｙｅｒ）１３１８の性質である。該指紋のアナログである該エレクトロ−ルミネッセント層１３０６により放射された光は介在層（ｉｎｔｅｒｖｅｎｉｎｇ  ｌａｙｅｒｓ）１３０８，１３１０，１３１２，１３１４、そして１３１６を通過し、該電気−抵抗性層１３１８上に当たる。該電気−抵抗性層１３１８は、該列電極１３１４に対し該電極１３２２にＤＣ電圧バイアスを課すことにより、電場内に置かれるが、それは該電気−抵抗性層にそれの上に入射する光の輝度に依り変化する抵抗を示させ、それにより該指紋のアナログを形成させる。電圧が該列電極１３１４に印加されると、該列電極１３１４と該電極１３２２の間のインピーダンスを測定することが可能となる。この測定されたインピーダンスは該電気−抵抗性層１３１８の変化する抵抗、そして従って該指紋のアナログと直接関係付けられる。それで、上記説明の様に、各行電極を次々と賦活することにより、該指紋のアナログが取り込まれ、記憶される。
【００５０】
該エイシック１１０６は、該行電極１３１０のシーケンシャルな賦活、該列電極１３１４からの変化する抵抗の読み戻し（ｒｅａｄｉｎｇ  ｂａｃｋ）そして該ピーテーエフセンサー１１０２の他の機能を制御する。各行について１度に１つの列を読んだり又は多数の行／列を同時に読む様な、他のアプローチが使われてもよいことは理解される。更に、前記説明は指紋センサーとしての該ピーテーエフセンサー１１０２の使用に焦点を合わせているが、  ピーテーエフセンサー１１０２の動作の原理は一般的であり、指紋アナログの取り込みに限定されない。
【００５１】
今図１３Ｂを参照すると、デバイス１１００の部分の１実施例は、基盤１３２４上に形成された生物測定学的センサー１１０２，デイスプレー１１１２，そしてＲＦアンテナ１１０４を図解する。該生物測定学的センサーは図１０に関連して説明した層１３０２−１３２２を有し、該デイスプレー１１１２は層１３２６−１３３６を有し、そして該ＲＦアンテナは層１３３８−１３４８を有する。図１３Ｂで図解される様に、該部品１１０２，１１１２，１１０４の各々は多数の層を共有する（例えば、１３２２，１３３６，そして１３４８）。この共有は該デバイス１１００の設計を簡単化し、又製造コストを減じる。
【００５２】
再び図１１を参照すると、１つ以上のアンテナを含んでもよい該ＲＦアンテナ１１０４はＲＦ電源から発せられるＲＦ場からＲＦエネルギーを取り込み、又組み合わされるリーダー／ライターデバイス（示されてない）との双方向通信（ｔｗｏ−ｗａｙ  ｃｏｍｍｕｎｉｃａｔｉｏｎ）をサポートしてもよい。取り込まれた該ＲＦエネルギーは電気エネルギーに変換され、該デバイス１１００内に蓄積される。該デバイス１１００の或る実施例では、再充電可能なバッテリー（ｒｅｃｈａｒｇｅａｂｌｅ  ｂａｔｔｅｒｙ）が、ＲＦエネルギー場が存在しない時、電子部品に電力を与えてもよい。この様なバッテリーはＲＦエネルギー場又は代わりの充電手段を介して充電されてもよい。
【００５３】
該エレクトロ−ルミネッセントデイスプレー１１１２は該デバイス１１００のユーザーに情報を表示する能力を提供する。例えば、該情報は、“カード不在（ｃａｒｄ  ｎｏｔ
ｐｒｅｓｅｎｔ）”処理をサポートするクレディットカード番号、“電子財布（ｅｌｅｃｔｒｏｎｉｃ  ｐｕｒｓｅ）”の残高（ｒｅｓｉｄｕａｌ  ｂａｌａｎｃｅ）、飛行機旅行フライト（ａｉｒ  ｔｒａｖｅｌ  ｆｌｉｇｈｔ）及び座席割り当て（ｓｅａｔ  ａｓｓｉｇｎｍｅｎｔ）情報、及び類似情報を含んでもよい。更に、該デイスプレー１１１２との相互作用は機能制御ボタン１１１０を介して達成される。例えば、該ボタン１１１０は、（もし該デバイス１１００が多数番号を記憶していれば）該デイスプレー１１１２を介して見たクレディットカード番号を選択するため又は個人身分証明番号（ｐｅｒｓｏｎａｌ  ｉｄｅｎｔｉｆｉｃａｔｉｏｎ  ｎｕｍｂｅｒ）を入れるため使われてもよい。該エレクトロ−ルミネッセントデイスプレー１１１２の柔軟性は該デバイス１１００のカードに似た形式要素でその使用を助ける。２つの制御ボタン１１１０が図解されているが、他の数と形状の機能制御ボタンが使われてもよいことは理解される。
【００５４】
現在のリーダーデバイスとの両立性を提供するためにダイナミック磁気ストリップ（ｄｙｎａｍｉｃ  ｍａｇｎｅｔｉｃ  ｓｔｒｉｐ）１１１４が提供される。該ダイナミック磁気ストリップ１１１４は固定か又はダイナミックか何れかのモードで使われてもよい。ダイナミックなモードでは、−クレディットカード番号の様な−磁気的に記憶された情報が該エイシック１１０６の制御下で変更されてもよい。
【００５５】
今図１４を参照すると、図１１のデバイス１１００で使われた様な、図解した電力回路１４００が描かれている。適当なＲＦエネルギーが該デバイス１１００上の入射すると、該ＲＦエネルギーはＲＦアンテナ１４０２内へ連結する。該アンテナ１４０２から、該エネルギーはＲＦ対ＤＣ電力変換器（ＲＦ−ｔｏ−ＤＣ  ｐｏｗｅｒ  ｃｏｎｖｅｒｔｅｒ）１４０４に入るが、該変換器は該ＡＣのＲＦ場（ＡＣ  ＲＦ  ｆｉｅｌｄ）をＤＣ類似回路（ＤＣ−ｌｉｋｅ  ｃｉｒｃｕｉｔ）へ変換する全波整流器（ｆｕｌｌ−ｗａｖｅ  ｒｅｃｔｉｆｉｅｒ）を有する。該ＡＣピーク変動をＤＣ類似電源（ＤＣ−ｌｉｋｅ  ｓｏｕｒｃｅ）に緩和（ｂｕｆｆｅｒ）するために静電容量が提供される。この過程で発生する中間電力は、もしバッテリー１４０６がその全容量（ｆｕｌｌ  ｃａｐａｃｉｔｙ）より下にあるならバッテリー１４０６の充電、そして該デバイス１１００への電力供給、の様な種々の目的で使われてもよい。該バッテリー１４０６はバッテリー管理ユニット１４０８を通して充電されてもよい。スマート電力マルチプレクサー（ｓｍａｒｔ  ｐｏｗｅｒ  ｍｕｌｔｉｐｌｅｘｅｒ）１４１０は、該バッテリー管理ユニット１４０８から，該ＲＦ対ＤＣ電力変換器１４０４から、又は両者から、電力を引き出すかどうか決定するため使われてもよい。
【００５６】
電圧調整器１４１２は該デバイス１１００へ電力を与えるために安定なＤＣ電圧レベルを創る。ＲＦエネルギーが該ＲＦアンテナ１４０２内に何等連結されない時、該ＲＦ対ＤＣ変換器１４０４は機能せず、電力が該スマート電力マルチプレクサー１４１０により該バッテリー管理ユニット１４０８から引き出されてもよい。前の様に、該電圧調整器１１１２は該デバイス１１００に電力を与えるために安定な電圧レベルを創る。他の実施例では、該電力回路１４００はバッテリー又は再充電可能なバッテリーを使わず、該ＲＦ場から取り込まれた電力のみに依存してもよい。
【００５７】
今図１５を参照すると、例示のテンプレート記憶方法１５００が図１１のデバイス１１００用の指紋アナログのテンプレートを取り込み、記憶する１実施例を図解する。過程１５０２で、ユーザーはリーダー／ライターデバイスにより発せられたＲＦ場内に該デバイス１１００を置く。前に説明した様に、該デバイス１１００は該ＲＦ場から電力を取り込む。過程１５０４で、該ユーザーは彼の親指又は指を該指紋センサー１１０２上に置き、過程１５０６で該デバイス１１００はテンプレート指紋アナログが既に記憶されているかどうかを決定する。もしテンプレート指紋アナログが記憶されてないと決まれば、該方法１５００は過程１５０８へ続く。過程１５０８でユーザーの入射指紋が該指紋センサー１１０２により検出され、該指紋センサー１１０２により指紋アナログが発生され、該エイシック１１０６は該指紋アナログをテンプレート指紋アナログとして記憶する。もし指紋テンプレートアナログが既に記憶されていれば、該方法１５００は過程１５１０へ続き、そこでは該デバイス１１００は該ＲＦ場から除去される。もし指紋テンプレートアナログが既に記憶されていれば、図１６で図解される様な、他のイベントが過程１５１０の前に起こることは理解される。
【００５８】
本例では示されないが、多数のテンプレート指紋アナログが該デバイス１１００内に記憶されてもよい。該テンプレート指紋アナログは一人の個人の多数の指紋を表してもよく、或いは異なる人々の指紋を表してもよい。これは、例えば、該デバイス１１００のオーナーが、多数のテンプレート指紋アナロウの初期化を安全に制御し、どのテンプレート指紋アナログが同一性を認証し、処理をオーソライズするため使われるかを選択的に約束（ｅｎｇａｇｅ）することを可能にするための方法を実現することにより達成される。代わりに、もし該デバイス１１００がより高いセキュリテイを要する環境で使われる筈なら、該デバイス１１００のユーザーは本人が直接に表れ（ａｐｐｅａｒ  ｉｎ  ｐｅｒｓｏｎ）、従来の方法｛例えば、運転免許証、出生証明書（ｂｉｒｔｈ  ｃｅｒｔｉｆｉｃａｔｅ）、他｝を使い彼又は彼女の同定を検証する必要がある。検証後、該ユーザーのテンプレート指紋アナログは上記説明の様に、又は他の手段（例えば、該テンプレート指紋アナログを該デバイス１１００内へ転送するスキャナー）により、該デバイス１１００内に置かれてもよい。
【００５９】
今図１６を参照すると、もう１つの実施例で、方法１６００が該デバイス１１００用の操作の１方法を図解する。過程１６０２で、前に説明した様に、該デバイス１１００はリーダー／ライターデバイスにより発せられたＲＦ場内へ置かれる。該ＲＦ場内へ置かれると、該デバイス１１００は電力を取り込み、その電子機器にエネルギーを与える。過程１６０４で、ユーザーは彼の指の１本を該指紋センサー１１０２上に置く。上記説明の様に、該指紋センサー１１０２は該指紋のアナログを取り込み、該アナログを該エイシック１１０６へ送る。
【００６０】
過程１６０６で、取り込まれた指紋アナログをメモリー内に記憶された１つ以上のテンプレート指紋アナログと比較することにより認証過程が行われる。過程１６０８で、該ユーザーが認証かどうか（例えば、該取り込まれた指紋アナログが記憶されたテンプレート指紋アナログとマッチするかどうか）に関する決定が行われる。もし該認証過程が該ユーザーを検証するのに失敗するなら、該方法１６００は示される様に過程１６０４に戻るか又は終了し、該ユーザーに該デバイス１１００を該ＲＦ場から取り除き再び過程１６０２から始めることを求める。もし該ユーザーが該認証過程により検証されるなら、該方法は過程１６１０へ続き、そこで該デバイス１１００は非接触双方向通信を介して該リーダー／ライターデバイスと通信ハンドシェーク過程（ｃｏｍｍｕｎｉｃａｔｉｏｎｓ  ｈａｎｄｓｈａｋｅ  ｐｒｏｃｅｓｓ）を行う。過程１６１２で、該デバイス１１００は該リーダー／ライターデバイスを用いて望まれる処理を続ける。一旦これが起こると、該デバイス１１００は該ＲＦ場から取り除かれ、それにより該デバイス１１００への電力を止める。
【００６１】
今図１７を参照すると、もう１つの実施例では、方法１７００は航空運輸環境（ａｉｒ
ｔｒａｎｓｐｏｒｔａｔｉｏｎ  ｅｎｖｉｒｏｎｍｅｎｔ）での本開示の使用を図解する。遠隔予約を行うことを望む旅行者はデバイス（図８のデバイス８００の様な）をリーダー／ライターデバイスへ提示する。本例では、該リーダー／ライターデバイスは有線又は無線接続を経由してパーソナルコンピュータ｛“ピーシー（ＰＣ）”｝へ取り付けられる。該ピーシーは該旅行者がウエブベースの飛行予約応用（ｗｅｂ  ｂａｓｅｄ  ｆｌｉｇｈｔ  ｒｅｓｅｒｖａｔｉｏｎ  ａｐｐｌｉｃａｔｉｏｎ）の様な、応用にアクセスすることを可能にする。
【００６２】
過程１７０２で、該旅行者が遠隔の予約とチケット発行過程を選択したかどうかについて決定を行う。もし該旅行者がこの様な過程を選択したなら、該方法１７００は過程１７０４へ続き、そこでは該デバイス８００は該旅行者の身分証明を検証し、その処理及び付随支払いを承認するために、ＰＣ及び該リーダー／ライターと連携して使われる。加えて、飛行情報が該リーダー／ライターデバイスから該デバイス８００内へ転送される。
【００６３】
該方法１７００は次いで過程１７０６へ続き、そこでは該旅行者が遠隔でバッゲージをチェックイン（ｒｅｍｏｔｅｌｙ  ｃｈｅｃｋ−ｉｎ  ｂａｇｇａｇｅ）するよう選択し
たかどうかについて決定が行われる。もし該旅行者が遠隔でバッゲージをチェックインすることを選択したなら、該方法１７００は過程１７０８へ続き、そこでは該デバイス８００は該旅行者の身分証明を検証するためにＰＣ及びリーダー／ライターと連携して使われる。加えて、バッゲージチェックイン過程を更に自動化するために飛行及びチケット情報が該デバイス８００から読まれる。該旅行者が何等かの望まれた情報（例えば、バッグの数、他）を入れた後、該エアラインのチケット発行及びバッゲージ追跡システム内への後刻の転送及び該システムによる使用のために、バッゲージ参照情報が該旅行者のデバイス８００内へ転送される。
【００６４】
過程１７２０へ戻ると、もし該旅行者が遠隔の予約及びチケット発行過程を選択しないことが決まるなら、該方法１７００は過程１７１０へ続き、そこでは該旅行者は、過程１７０４の遠隔チェックインの過程と同様な仕方で、カウンター又はセルフサービスキオスク（ｃｏｕｎｔｅｒ  ｏｒ  ｓｅｌｆ−ｓｅｒｖｉｃｅ  ｋｉｏｓｋ）のリーダー／ライターデバイスで該デバイス８００を使ってもよい。特に、該旅行者は該旅行者の身分証明を検証しそして購入処理のみならず何等かの付随する支払いを承認するために該デバイス８００を使ってもよい。加えて飛行情報が該リーダー／ライターデバイスから該デバイス８００内へ転送される。
【００６５】
過程１７１２へ続くと、該旅行者は、過程１７０８の遠隔のバッゲージチェックインの過程と同様な仕方で、カウンター又はセルフサービスキオスクのリーダー／ライターデバイスで該デバイス８００を使ってもよい。特に、該旅行者は、該旅行者の身分証明を検証し、飛行及びチケット情報を提供し、そして該リーダー／ライターデバイスから転送されるバッゲージ参照情報を記憶するために該デバイス８００を使ってもよい。
【００６６】
チケット発行及びバッゲージチェックインの後、該方法１７００は過程１７１４，１７１６そして１７１８へ続き、そこでは該旅行者は身分証明及びチケット認証のために、該デバイス８００を他のリーダー／ライターデバイスへ提示してもよい。例えば、これはセキュリテイチェックポイント（ｓｅｃｕｒｉｔｙ  ｃｈｅｃｋｐｏｉｎｔｓ）、ゲート、に於いて及び／又は乗機の際（ａｔ  ｂｏａｒｄｉｎｇ）で行われてもよい。該リーダー／ライターデバイスの幾つかはエアライン（ａｉｒｌｉｎｅ）及び／又は政府（ｇｏｖｅｒｎｍｅｎｔ）データベース（ｄａｔａｂａｓｅ）と通信していてもよいことは理解される。
【００６７】
今図１８を参照すると、もう１つの実施例で、方法１８００は健康管理環境（ｈｅａｌｔｈ  ｃａｒｅ  ｅｎｖｉｒｏｎｍｅｎｔ）での本開示の使用を図解している。過程１８０２で、患者が健康管理施設（ｈｅａｌｔｈｃａｒｅ  ｆａｃｉｌｉｔｙ）に到着する前に予備チェックイン過程（ｐｒｅ  ｃｈｅｃｋ−ｉｎ  ｐｒｏｃｅｓｓ）を行うことを望むかどうかについて決定が行われる。もし患者が予備チェックイン過程を行うことを望むことが決定されるなら、該方法１８００は過程１８０４へ続き、そこでは患者はデバイス（図８のデバイス８００の様な）をリーダー／ライターデバイスへ提示する。本例では、該リーダー／ライターデバイスは有線又は無線接続を経由してパーソナルコンピュータへ取り付けられる。該ピーシーは該患者がウエブベースの健康管理応用（ｗｅｂ−ｂａｓｅｄ  ｈｅａｌｔｈｃａｒｅ  ａｐｐｌｉｃａｔｉｏｎ）の様な応用にアクセスすることを可能にする。過程１８０４で該デバイスを提示すると、該患者は同定され（ｉｄｅｎｔｉｆｉｅｄ）、支払い及び健康管理インストラクション（ｃａｒｅ  ｉｎｓｔｒｕｃｔｉｏｎ）は承認され、そして医学的情報｛例えば、記録、治療法（ｐｒｅｓｃｒｉｐｔｉｏｎｓ）、他｝が賦活される。該デバイス８００は又患者に医学的警告（ｍｅｄｉｃａｌ  ａｌｅｒｔｓ）を提供するため使われてもよい。
【００６８】
過程１８０６で、もし該患者が過程１８０４の予備チェックイン過程を行わなかったな
ら、該患者は該健康管理施設で同様の機能を行うために該デバイス８００を使ってもよい。該方法は次いで過程１８０８へ続き、そこでは該デバイスはプロバイダーサービス（ｐｒｏｖｉｄｅｒ  ｓｅｒｖｉｃｅｓ）にアクセスするため使われる。例えば、該デバイス８００は該健康管理施設のデスク又はワークステーション｛例えば、検査室（ｅｘａｍｉｎａｔｉｏｎ  ｒｏｏｍ）｝のリーダー／ライターデバイスと相互作用するため使われてもよい。この相互作用は該患者の身分証明を認証し、関連医学記録へのアクセスを提供し、該記録が更新されていることを検証し、そして１つ以上の治療法を記憶する。
【００６９】
過程１８１０へ続き、該患者は該デバイス８００を薬局でリーダー／ライターデバイスに提示する。該デバイス８００は処方用に該患者の身分証明を認証し、該処方を該薬局（ｐｈａｒｍａｃｙ）に提供するため使われる。更に、該デバイス８００は保険／支払い情報（ｉｎｓｕｒａｎｃｅ／ｐａｙｍｅｎｔ  ｉｎｆｏｒｍａｔｉｏｎ）を提供し、該患者がその処理を承認することを可能にする。
【００７０】
今図１９及び２０を参照すると、もう１つの実施例で、方法１９００及び２０００は本開示の財務処理環境（ｆｉｎａｎｃｉａｌ  ｔｒａｎｓａｃｔｉｏｎ  ｅｎｖｉｒｏｎｍｅｎｔ）での使用を図解する。該財務処理環境は物理的な店か又はオンライン（例えば、インターネット上で）か何れかで小売り購入（ｒｅｔａｉｌ  ｐｕｒｃｈａｓｅｓ）を行うことを含む。本開示は財務処理環境で実施されるが、それはバイヤーを同定し、ローカル化された場所（ｌｏｃａｌｉｚｅｄ  ｖｅｎｕｅ）で該バイヤーの同一性（ｉｄｅｎｔｉｔｙ）を急ぎ検証し、該バイヤーの同一性をクレディット又はデビット勘定と組み合わせ、そして／又はこれらの勘定のフアンド（ｆｕｎｄ）の支払い処理用への利用可能性（ａｖａｉｌａｂｉｌｉｔｙ）及び合法性（ｌｅｇｉｔｉｍａｃｙ）を保証するために、図８のデバイス８００の様な、デバイスを使うことによる。
【００７１】
小売り購入用の支払いは３つの方法、すなわちキャッシュで、又はチェック（ｃｈｅｃｋ）で又はクレデイット又はデビットカードで、の１つで一般に達成される。キャッシュ処理では、一般に該バイヤーの身分証明の検証の必要はない。チェックが使われる処理では、一般に該バイヤーの身分証明（ｉｄｅｎｔｉｆｉｃａｔｉｏｎ）の必要がある。この身分照明が行われるのは、バイヤーが、運転免許証、又は代わりの、承認された身分証明書（ｉｄｅｎｔｉｆｉｃａｔｉｏｎ  ｃａｒｄ）、を提示するか又はクレデイットの価値あること（ｃｒｅｄｉｔ−ｗｏｒｔｈｉｎｅｓｓ）を示すためにクレディットカードを提示する方法に依るか、又は支払い用に提示されたチェックのフアンド利用可能性及び該チェックの合法性を保証するためにチェックセキュリテイ処理サービスへの遠隔通信接続（ｔｅｌｅｃｏｍｍｕｎｉｃａｔｉｏｎ  ｃｏｎｎｅｃｔｉｏｎ  ｔｏ  ｃｈｅｃｋ  ｓｅｃｕｒｉｔｙ  ｐｒｏｃｅｓｓｉｎｇ  ｓｅｒｖｉｃｅ  ｔｏ  ａｓｓｕｒｅ  ｆｕｎｄ  ａｖｉｌａｂｉｌｉｔｙ  ｆｏｒ，  ａｎｄ  ｌｅｇｉｔｉｍａｃｙ  ｏｆ，  ｔｈｅ  ｃｈｅｃｋ  ｐｒｅｓｅｎｔｅｄ  ｆｏｒ  ｐａｙｍｅｎｔ）に依る。
【００７２】
クレディット又はデビットカードが使われる処理では、バイヤーの身分証明と、該支払い処理用に提示されたカードの合法的所有（ｌｅｇｉｔｉｍａｔｅ  ｏｗｎｅｒｓｈｉｐ）と、を保証するために一般に種々の手順メカニズム（ｐｒｏｃｅｄｕｒａｌ  ｍｅｃｈａｎｉｓｍｓ）が出現している。例えば、該支払いは該バイヤーと、該カードのアシュームドオーナー（ａｓｓｕｍｅｄ  ｏｗｎｅｒ）と、による数値的ピーアイエヌ（ｎｕｍｅｒｉｃ  ＰＩＮ）｛“個人的身分証明番号（Ｐｅｒｓｏｎａｌ  Ｉｄｅｎｔｉｆｉｃａｔｉｏｎ  Ｎｕｍｂｅｒ）”｝セキュリテイコード（ｓｅｃｕｒｉｔｙ  ｃｏｄｅ）のエントリーを要求してもよい。代わりに、販売係（ｓａｌｅｓ  ｐｅｒｓｏｎｎｅｌ）は、購入された品物又はサービス用に提供された購入レシート（ｐｕｒｃｈａｓｅ  ｒｅｃｅｉｐｔ）上の請求された署名、に対して支払い用に提示されたカードの背面上のバイヤーの署名を比較してもよい。或る場合は、カードはそれらの上に該カードオーナーの写真を有し、そして販売係は、同定（ｉｄｅｎｔｉｆｉｃａｔｉｏｎ）を確立するために、この写真と該バイヤーとの急いだ比較（ｃｕｒｓｏｒｙ  ｃｏｍｐａｒｉｓｏｎ）を行ってもよい。しかしながら、写真比較及びピーアイエヌベースのカードオーソライゼーション（ＰＩＮ−ｂａｓｅｄ  ｃａｒｄ  ａｕｔｈｏｒｉｚａｔｉｏｎ）の両者は同定の保証について弱さ（ｗｅａｋｎｅｓｓ  ｆｏｒ  ａｓｓｕｒｉｎｇ  ｉｄｅｎｔｉｆｉｃａｔｉｏｎ）を有し、両者は不正の処理の起こり得るリスクを有する。写真は偽造され得るし、ピーアイエヌ番号は盗まれ得る。オンライン購入の場合、バイヤーはオーソライズする署名を提供するためには居らず、現在の処理インフラストラクチャーでは写真比較は行われ得ず、そしてピーアイエヌベースの処理は身元盗難で危うくされる可能性がある（ＰＩＮ−ｂａｓｅｄ  ｔｒａｎｓａｃｔｏｎｓ  ｃａｎ  ｂｅ  ｃｏｍｐｒｏｍｉｓｅｄ  ｗｉｔｈ  ｉｄｅｎｔｉｔｙ  ｔｈｅｆｔ）。
【００７３】
特に図１９を参照すると、該デバイス８００が財務処理に使用可能となる前に、それは、該デバイス８００の確保されたメモリー（ｓｅｃｕｒｅｄ  ｍｅｍｏｒｙ）内への選択された指紋パターンの登録でバイヤー／オーナーにより初期化されるべきである。選択された指紋を登録するために、該デバイスオーナーは該デバイス８００をポイントオブセールス（ｐｏｉｎｔ  ｏｆ  ｓａｌｅｓ）｛“ピーオーエス（ＰＯＳ）”｝デバイスにより発生されるＲＦ場内に保持するが、該ポイントオブセースルデバイスはキオスクのパーソナルコンピュータ、キャッシュレジスター、又は同様なデバイスであってもよい。過程１９０２で、該ピーオーエスデバイスからの該ＲＦエネルギーは該デバイス８００とデイスプレーの賦活の電力を提供する。過程１９０４で、該デバイス８００が前に使われたかどうかについて決定が行われる。例えば、該デバイス８００は指紋テンプレートアナログが既にメモリー内に記憶されているかを決定してもよい。もし該デバイス８００が前に使われたなら、該方法１９００は終了する。もし該デバイスが前に使われなかったなら、該デバイス８００は過程１９０６へ続き、そこでは該オーナーは該生物測定学的センサーを駆動するよう促される。例えば、これは該オーナーに選択された指又は親指で該デバイス８００上の生物測定学的センサー８０２に簡単にタッチすることを課す。該オーナーが該生物測定学的センサー８０２と接触を保持している間に、過程１９０８，１９１０で該指紋情報は該生物測定学的センサー８０２により読まれ、該デバイス８００内に記憶される。過程１９１２で、該指紋パターンが暗号化されたテンプレートとして該デバイス８００内に成功裡に登録されたという確認応答（ａｃｋｎｏｗｌｅｄｇｅｍｅｎｔ）が該デイスプレー８００上に表示されるまで、該オーナーは該生物測定学的センサー８０２と接触を保持する。
【００７４】
特に図２０を参照すると、インボイス情報（ｉｎｖｏｉｃｅ  ｉｎｆｏｒｍａｔｉｏｎ）が該ピーオーエスデバイスにより表示される支払い処理をオーソライズするために、該デバイス８００のユーザーは、過程２００２で、該ピーオーエスデバイスに接続されたＲＦリーダーにより発生されるＲＦ場内に該デバイス８００を保持する。例えば、該ユーザーは該デバイス８１０を該ＲＦリーダーから約１５．２４ｃｍ（６インチ）の距離に保持する。過程２００４で、該ユーザーは、該カードのメモリー内に安全に記憶された彼／彼女の前に登録された指紋と比較のマッチ（ｃｏｍｐａｒａｔｉｖｅ  ｍａｔｃｈ）をもたらすよう、該生物測定学的センサー８０２を駆動する（例えば、彼／彼女の指又は親指で該指紋センサーにタッチする）。成功裡のマッチはカード保持者の勘定のデータ（ｃａｒｄｈｏｄｅｒ  ａｃｃｏｕｎｔ  ｄａｔａ）の暗号化された承認と、該データの販売者の経営勘定の受取勘定処理システム（ｓｅｌｌｅｒ’ｓ  ａｄｍｉｎｉｓｔｒａｔｉｖｅ  ａｃｃｏｕｎｔ  ｒｅｃｅｉｖａｂｌｅｓ  ｐｒｏｃｅｓｓｉｎｇ  ｓｙｓｔｅｍ）への振り込み（ｔｒａｎｓｆｅｒ）をもたらす。
【００７５】
過程２００６で、該ユーザーが電子的レシート情報の該デバイスへの転送を望むかどうかについて決定が行われる。もし否であれば、該方法２０００は過程２０１０へ続き、そ
こでは該デバイス８００は該ＲＦ場から除かれる。もし過程２００６で該ユーザーが電子的レシート情報を該デバイス８００へ転送するよう欲することが決定されれば、該方法２０００は過程２００８へ続き、そこで該デバイス８００は該情報をメモリー内へ記憶する。該方法２０００は過程２００８へ続き、そこで該デバイス８００は該ＲＦ場から取り除かれる。
【００７６】
前記説明は１つ以上の実施例を示し、説明するが、本開示の精神と範囲から離れることなく形式及び詳細で種々の変更がその中で行われ得ることは当業者により理解されるであろう。例えば、本開示は、腕時計又は腕時計バンド、キイリング、又は種々の他の物理的構造体の様な、種々の形の要素で実施され得る。従って、請求項は、広い仕方で、本開示と一貫していると解釈されるべきである。
本発明の特徴と利点のより完全な理解のために、付属する図面と一緒に本発明の詳細な説明を参照するが、該図面では種々の図面内の対応する数字は対応する部品を参照する。
【図面の簡単な説明】
【００７７】
【図１】従来技術による磁気ストライプを有する標準のクレディットカードを描いている。
【図２】従来技術によるスマートカードを描いている。
【図３】本発明の１実施例の処理を出来るようにするシステムのブロック線図を描いている。
【図４Ａ】本発明により生物測定学的に出来るようにされたプログラム可能な磁気ストライプを使って、処理を出来るようにするカードの例示的実施例の前面を描いている。
【図４Ｂ】本発明により生物測定学的に可能にされたプログラム可能な磁気ストライプを使って処理を可能にするカードの例示的実施例の背面を描いている。
【図５Ａ】本発明の１実施例により多数の誘導性コイルを使うプログラム可能な磁気ストライプのブロック線図を描いている。
【図５Ｂ】本発明のもう１つの実施例により直接カード上の制御器から磁気カードリーダーへエミュレートされた時間変化する磁気ストライプデータを送るために１つの誘導コイルを使うプログラム可能な磁気ストライプのブロック線図を描いている。
【図６】本発明により安全な物理的及び商業的処理用にデバイス上の生物測定学的に可能にされたプログラム可能な磁気ストライプの組み合わされる要素の例示的実施例を描いている。
【図７】本発明によるデバイスを使うための例示的認証方法のフローチャートである。
【図８】本発明による生物測定学の同一性検証を使って非接触の仕方で安全な物理的及び商業的処理をもたらす例示的デバイスの１実施例を描いている。
【図９】本発明により図８のデバイスが動作する例示的環境を描いている。
【図１０】本発明により図９の環境で図８のデバイスを使うための例示的方法のフローチャートである。
【図１１】本発明による生物測定学の同一性検証を使って非接触の仕方で安全な物理的及び商業的処理をもたらすための例示的デバイスのもう１つの実施例を図解する線図である。
【図１２】本発明による図１１のデバイスで使われる生物測定学的センサーの１実施例の図解である。
【図１３Ａ】本発明による図１２の生物測定学的センサーの１実施例を形成する種々の層を図解する。
【図１３Ｂ】本発明による図１１のデバイスの１実施例の部分を形成する種々の層を図解する。
【図１４】本発明による図１１のデバイスで使われる例示的電力回路の線図である。
【図１５】本発明による図１１のデバイス内のテンプレート指紋アナログを記憶する例示的方法のフローチャートである。
【図１６】本発明による図１１のデバイスを使う例示的方法のフローチャートである。
【図１７】本発明により航空輸送環境で図１１のデバイスを使う例示的方法のフローチャートである。
【図１８】本発明により健康管理環境で図１１のデバイスを使う例示的方法のフローチャートである。
【図１９】本発明による図８のデバイスで生物測定学的テンプレートアナログを記憶する例示的方法のフローチャートである。
【図２０】本発明により財務処理で図８のデバイスを使う例示的方法のフローチャートである。
【図１】
2007517274.tif 000003
【図２】
2007517274.tif 000004
【図３】
2007517274.tif 000005
【図４Ａ】
2007517274.tif 000006
【図４Ｂ】
2007517274.tif 000007
【図５Ａ】
2007517274.tif 000008
【図５Ｂ】
2007517274.tif 000009
【図６】
2007517274.tif 000010
【図７】
2007517274.tif 000011
【図８】
2007517274.tif 000012
【図９】
2007517274.tif 000013
【図１０】
2007517274.tif 000014
【図１１】
2007517274.tif 000015
【図１２】
2007517274.tif 000016
【図１３Ａ】
2007517274.tif 000017
【図１３Ｂ】
2007517274.tif 000018
【図１４】
2007517274.tif 000019
【図１５】
2007517274.tif 000020
【図１６】
2007517274.tif 000021
【図１７】
2007517274.tif 000022
【図１８】
2007517274.tif 000023
【図１９】
2007517274.tif 000024
【図２０】
2007517274.tif 000025